(57)【要約】【課題】効率よく再利用できるアダプタを提供すること。【解決手段】現像カートリッジ１２に装着可能なアダプタ３４に、現像カートリッジ１２と係合するスナップフィット部１４４と、アダプタ３４の外部にボール７１を発射するように構成される発射ユニット３９とを備える。【選択図】図４
2014170143.tif 000002
【特許請求の範囲】
【請求項１】
印刷装置のためのカートリッジに装着可能なアダプタであって、
前記カートリッジと係合するための係合部と、
当該アダプタの外部に物体を発射するように構成される発射装置とを備えることを特徴とする、アダプタ。
【請求項２】
前記物体を備えることを特徴とする、請求項１に記載のアダプタ。
【請求項３】
前記発射装置は、前記物体を発射するために駆動力を伝達するための駆動力伝達部材を有することを特徴とする、請求項１または２に記載のアダプタ。
【請求項４】
前記発射装置は、
前記物体を発射するための力を、前記物体に付与するように構成される力付与部材を有していることを特徴とする、請求項３に記載のアダプタ。
【請求項５】
前記力付与部材は、
移動することにより、前記物体に前記力を付与するように構成されていることを特徴とする、請求項４に記載のアダプタ。
【請求項６】
前記力付与部材は、弾性部材を有し、
前記弾性部材は、
弾性変形することにより、前記物体に前記力を付与するように構成されていることを特徴とする、請求項４または５に記載のアダプタ。
【請求項７】
前記弾性部材は、
弾性エネルギーを蓄積する第１状態と、前記第１状態において蓄積した弾性エネルギーを解放する第２状態とに、弾性変形するように構成され、
前記力付与部材は、
前記弾性部材の前記第１状態から前記第２状態への弾性変形により、前記物体に前記力を付与するように構成されていることを特徴とする、請求項６に記載のアダプタ。
【請求項８】
前記力付与部材は、
前記第１状態にある前記弾性部材が、前記駆動力伝達部材に伝達される駆動力により、前記第２状態へ弾性変形することによって、前記物体に前記力を付与するように構成されていることを特徴とする、請求項７に記載のアダプタ。
【請求項９】
前記発射装置は、
前記物体を収容するように構成される収容部を有していることを特徴とする、請求項４〜８のいずれか一項に記載のアダプタ。
【請求項１０】
前記力付与部材は、
前記物体に対して、第１方向に力を付与するように構成され、
前記収容部に収容されている前記物体は、
前記第１方向とは異なる第２方向に移動することにより、前記力付与部材から力が付与される力付与位置に供給されるように構成されていることを特徴とする、請求項９に記載のアダプタ。
【請求項１１】
前記発射装置は、
前記物体を、前記力付与部材から力が付与される力付与位置に供給するように構成される供給部材を備えることを特徴とする、請求項１０に記載のアダプタ。
【請求項１２】
前記発射装置は、
前記収容部に設けられている第１受部と、
前記力付与位置にある前記物体を受ける第２受部とを備え、
前記供給部材は、
前記収容部に収容されている前記物体を、前記第１受部から前記第２受部に移動させるように構成され、
前記力付与部材は、
前記第２受部に位置する前記物体に力を付与するように構成されていることを特徴とする、請求項１１に記載のアダプタ。
【請求項１３】
前記供給部材は、
前記駆動力伝達部材に伝達される駆動力により、前記収容部に収容されている前記物体を、前記第１受部から前記第２受部に移動させるように構成されていることを特徴とする、請求項１２に記載のアダプタ。
【請求項１４】
前記収容部は、
前記力付与部材に向けて、前記物体を排出するように構成される排出口を有し、
前記供給部材は、
前記物体の供給または前記物体の供給停止に伴って、前記排出口を開閉するように構成される供給規制部を有していることを特徴とする、請求項１１〜１３のいずれか一項に記載のアダプタ。
【請求項１５】
前記発射装置は、
前記力付与部材から力を付与された物体の移動をガイドするように構成されるガイド部を有していることを特徴とする、請求項４〜１４のいずれか一項に記載のアダプタ。
【請求項１６】
前記ガイド部は、
前記物体を、前記力付与部材が前記物体に付与する力の方向である第１方向に移動するようにガイドする第１ガイド部と、
前記物体を、前記第１方向とは異なる方向に移動するようにガイドする第２ガイド部とを有していることを特徴とする、請求項１５に記載のアダプタ。
【請求項１７】
前記第１ガイド部の延びる方向と前記第２ガイド部の延びる方向とが形成する角の角度が、０°よりも大きく１８０°以下であることを特徴とする、請求項１６に記載のアダプタ。
【請求項１８】
前記物体が複数備えられており、
前記収容部は、複数の前記物体を収容するように構成されていることを特徴とする、請求項４〜１７のいずれか一項に記載のアダプタ。
【請求項１９】
前記ガイド部の前記物体の移動方向における下流側端部は、
前記カートリッジが備える現像ローラが現像剤を担持する領域に対して、前記現像ローラの軸線の延びる方向の外側に配置されていることを特徴とする、請求項１５〜１８のいずれか一項に記載のアダプタ。
【請求項２０】
外部から供給される駆動力を受けるように構成される駆動入力部を有し、
前記現像ローラは、前記駆動入力部が受ける駆動力により、回転するように構成されていることを特徴とする、請求項１９に記載のアダプタ。
【請求項２１】
前記発射装置は、
前記物体を収容するように構成される収容部を有していることを特徴とする、請求項１または２に記載のアダプタ。
【請求項２２】
前記物体が複数備えられており、
前記収容部は、複数の前記物体を収容するように構成されていることを特徴とする、請求項２１に記載のアダプタ。
【請求項２３】
前記発射装置は、
前記物体を発射するための力を、前記物体に付与するように構成される力付与部材を有していることを特徴とする、請求項１または２に記載のアダプタ。
【請求項２４】
前記力付与部材は、
移動可能に構成されており、
移動することにより、前記物体に前記力を付与するように構成されていることを特徴とする、請求項２３に記載のアダプタ。
【請求項２５】
前記力付与部材は、弾性部材を有し、
前記弾性部材は、
弾性変形することにより、前記物体に前記力を付与するように構成されていることを特徴とする、請求項２４に記載のアダプタ。
【請求項２６】
前記弾性部材は、
弾性エネルギーを蓄積する第１状態と、前記第１状態において蓄積した弾性エネルギーを解放する第２状態とに、弾性変形するように構成され、
前記力付与部材は、
前記弾性部材の前記第１状態から前記第２状態への弾性変形により、前記物体に前記力を付与するように構成されていることを特徴とする、請求項２５に記載のアダプタ。
【発明の詳細な説明】
【技術分野】
【０００１】
本発明は、印刷装置のためのカートリッジに装着されるアダプタに関する。
【背景技術】
【０００２】
従来より、ユニットが装置本体に着脱自在に装着される画像形成装置が知られている。このような画像形成装置は、装着されたユニットの情報を検知するための検知機構を備えている。
【０００３】
そのような画像形成装置として、例えば、装置本体が、ユニットの交換時期を判断するために画像形成回数をカウントするカウンタと、カウンタに接続されるカウンタスイッチとを備え、ユニットが、突片部を有する歯車部材と、歯車部材を回転させるためのギヤ機構とを備える複写機が提案されている（例えば、特許文献１参照）。
【０００４】
そのような複写機では、未使用のユニットが装置本体に装着されたときに、作用位置にある歯車部材の突片部がカウンタスイッチを押圧して、カウンタをリセットする。これによって、複写機が装着されたユニットの情報を検知する。その後、ギヤ機構を介して歯車部材に駆動力が伝達されることにより、歯車部材が、作用位置から、突片部とリセットスイッチとの干渉が回避される非作用位置に回転される。
【先行技術文献】
【特許文献】
【０００５】
【特許文献１】特開平０６−２０２４０３号公報
【発明の概要】
【発明が解決しようとする課題】
【０００６】
しかるに、近年、環境保護の観点から、各部材の再利用が検討されている。
【０００７】
しかし、特許文献１に記載の従来のユニットは、歯車部材およびギヤ機構を着脱不能に備えているので、歯車部材およびギヤ機構を再利用することが困難である。
【０００８】
そこで、本発明の目的は、効率よく再利用できるアダプタを提供することにある。
【課題を解決するための手段】
【０００９】
（１）上記した目的を達成するために、本発明のアダプタは、印刷装置のためのカートリッジに装着可能なアダプタであって、カートリッジと係合するための係合部と、外部に物体を発射するように構成される発射装置とを備えている。
【００１０】
このような構成によれば、アダプタは、係合部をカートリッジに係合させることにより、カートリッジに装着され、また、係合部とカートリッジとの係合を解除することにより、カートリッジから取り外される。そのため、アダプタをカートリッジに容易に着脱できるので、効率よくアダプタを再利用することができる。
【００１１】
しかるに、カートリッジに備えられる部材が、印刷装置に備えられる検知機構に作用して、カートリッジの情報を検知する場合、印刷装置と、それとは別体のカートリッジとに備えられる部材のそれぞれが互いに作用するので、検知機構の検知が不安定となる場合がある。
【００１２】
一方、上記の構成によれば、アダプタが発射装置を備えているので、発射装置から発射された物体を、印刷装置の検知機構に検知させることができる。つまり、検知機構は、アダプタから発射された物体を印刷装置において検知する。そのため、検知機構に物体を確実に検知させることができる。
（２）また、物体を備えていてもよい。
【００１３】
このような構成によれば、発射装置は物体を予め備えることになるので、発射装置は物体を確実に発射することができる。
（３）また、発射装置は、物体を発射するために駆動力を伝達するための駆動力伝達部材を有していてもよい。
【００１４】
このような構成によれば、駆動力伝達部材が、物体を発射するために駆動力を伝達するので、発射装置は物体をより一層確実に発射することができる。
（４）また、発射装置は、物体を発射するための力を、物体に付与するように構成される力付与部材を有していてもよい。
【００１５】
このような構成によれば、力付与部材が、物体に発射するための力を物体に付与するので、発射装置は物体を確実に発射することができる。
（５）また、力付与部材は、移動することにより、物体に力を付与するように構成されていてもよい。
【００１６】
このような構成によれば、力付与部材が移動することにより、発射するための力を物体に付与することができる。
（６）また、力付与部材は、弾性部材を有していてもよい。この場合、弾性部材は、弾性変形することにより、物体に力を付与するように構成されている。
【００１７】
このような構成によれば、弾性部材が弾性変形することにより、発射するための力を物体に付与する。そのため、簡易な構成でありながら、発射するための力を物体に確実に付与することができる。
（７）また、弾性部材は、弾性エネルギーを蓄積する第１状態と、第１状態において蓄積した弾性エネルギーを解放する第２状態とに、弾性変形するように構成されていてもよい。この場合、力付与部材は、弾性部材の第１状態から第２状態への弾性変形により、物体に力を付与するように構成されている。
【００１８】
このような構成によれば、力付与部材は、弾性部材の第１状態から第２状態への弾性変形により、物体に力を付与する。そのため、簡易な構成でありながら、発射するための力を物体により一層確実に付与することができる。
（８）また、力付与部材は、第１状態にある弾性部材が、駆動力伝達部材に伝達される駆動力により、第２状態へ弾性変形することによって、物体に力を付与するように構成されていてもよい。
【００１９】
このような構成によれば、力付与部材は、駆動力伝達部材に伝達される駆動力により、弾性部材を第１状態から第２状態に弾性変形させることができ、発射するための力を物体に確実に付与できる。
（９）また、発射装置は、物体を収容するように構成される収容部を有していてもよい。
【００２０】
このような構成によれば、物体を確実に収容することができ、物体の効率的な配置を確保することができる。
（１０）また、力付与部材は、物体に対して、第１方向に力を付与するように構成されていてもよい。この場合、収容部に収容されている物体は、第１方向とは異なる第２方向に移動することにより、力付与部材から力が付与される力付与位置に供給されるように構成されている。
【００２１】
このような構成によれば、第１方向と第２方向とが同一の方向である場合と比較して、簡易な構成でありながら、力付与位置にある物体に確実に力を付与することができる。
（１１）また、発射装置は、物体を、力付与部材から力が付与される力付与位置に供給するように構成される供給部材を備えていてもよい。
【００２２】
このような構成によれば、供給部材が、収容部に収容される物体を力付与位置に供給するので、物体を確実に力付与位置に配置できる。
（１２）また、発射装置は、収容部に設けられている第１受部と、力付与位置にある物体を受ける第２受部とを備えていてもよい。この場合、供給部材は、収容部に収容されている物体を、第１受部から第２受部に移動させるように構成され、力付与部材は、第２受部に位置する物体に力を付与するように構成されている。
【００２３】
このような構成によれば、供給部材が、収容部に収容されている物体を、第１受部から第２受部に移動させるので、発射装置の発射動作の開始前においては、物体を収容部に確実に収容させることができながら、発射装置の発射動作時においては、物体を、第１受部から第２受部に確実に移動させることができ、物体を力付与位置に確実に配置することができる。
（１３）また、供給部材は、駆動力伝達部材に伝達される駆動力により、収容部に収容されている物体を、第１受部から第２受部に移動させるように構成されていてもよい。
【００２４】
このような構成によれば、供給部材が、駆動力伝達部材に伝達される駆動力により、収容部に収容されている物体を、第１受部から第２受部に移動させる。つまり、発射装置の発射動作と、供給部材の物体の供給動作とのそれぞれの動作が、駆動力伝達部材に伝達される駆動力により実行される。そのため、発射装置の発射動作と、供給部材の供給動作とを確実に連動させることができる。その結果、発射装置の発射動作時において、物体を第１受部から第２受部に確実に供給することができる。
（１４）また、収容部は、力付与部材に向けて、物体を排出するように構成される排出口を有していてもよい。この場合、供給部材は、物体の供給または物体の供給停止に伴って、排出口を開閉するように構成される供給規制部を有している。
【００２５】
このような構成によれば、供給部材の物体の供給動作時において、収容部に収容される物体が、収容部から排出口を介して、所望せず排出されてしまうことを抑制できる。
（１５）また、発射装置は、力付与部材から力を付与された物体の移動をガイドするように構成されるガイド部を有していてもよい。
【００２６】
このような構成によれば、力付与部材から力を付与された物体は、ガイド部により移動がガイドされる。そのため、発射装置による物体の安定した発射を確保することができる。
（１６）また、ガイド部は、物体を、力付与部材が物体に付与する力の方向である第１方向に移動するようにガイドする第１ガイド部と、物体を、第１方向とは異なる方向に移動するようにガイドする第２ガイド部とを有していてもよい。
【００２７】
このような構成によれば、力付与部材により力を付与された物体は、第２ガイド部によりガイドされて、第１方向とは異なる方向に移動される。そのため、物体を、第１方向とは異なる方向において、発射装置から遠方に到達させることができる。
（１７）また、第１ガイド部の延びる方向と第２ガイド部の延びる方向とが形成する角の角度が、０°よりも大きく１８０°以下であってもよい。
【００２８】
このような構成によれば、発射装置から発射された物体を、第３方向において、発射装置から遠方により一層確実に到達させることができる。
（１８）また、物体が複数備えられていてもよい。この場合、収容部は、複数の物体を収容するように構成されている。
【００２９】
しかるに、物体の個数はカートリッジの情報に対応させることができる。そのため、このような構成によれば、物体が複数備えられているので、検知機構により検知されるカートリッジの情報量の向上を図ることができる。
（１９）また、ガイド部の物体の移動方向における下流側端部は、カートリッジが備える現像ローラが現像剤を担持する領域に対して、現像ローラの軸線の延びる方向の外側に配置されていてもよい。
【００３０】
このような構成によれば、ガイド部の物体の移動方向における下流側端部と現像ローラとの効率的な配置を確保することができながら、発射装置から発射された物体が、現像ローラの現像剤を担持する領域に接触することを抑制できる。
（２０）また、外部から供給される駆動力を受けるように構成される駆動入力部を有してもよい。この場合、現像ローラは、カートリッジが備える駆動入力部が受ける駆動力により、回転するように構成されている。
【００３１】
このような構成によれば、現像ローラが、駆動入力部が受ける駆動力により、回転するので、現像ローラを確実に回転させることができる。
【発明の効果】
【００３２】
本発明のアダプタによれば、効率よく再利用できながら、外部の検知機構にボールを確実に検知させることができる。
【図面の簡単な説明】
【００３３】
【図１】図１は、本発明のアダプタの第１実施形態を備える現像カートリッジを左後方から見た斜視図である。
【図２】図２Ａは、図１に示す現像カートリッジの左側面図である。図２Ｂは、図２Ａに示す現像カートリッジの中央断面図である。
【図３】図３は、図１に示す現像カートリッジを左前方から見た斜視図であって、アダプタが筐体に装着された状態を示す。
【図４】図４は、図３に示す現像カートリッジを左前方から見た斜視図であって、アダプタが筐体から離脱された状態を示す。
【図５】図５は、図４に示すアダプタを左前方から見た分解斜視図である。
【図６】図６は、図４に示すアダプタを右前方から見た斜視図である。
【図７】図７Ａは、図５に示す保持フレームを左前方から見た斜視図である。図７Ｂは、図７Ａに示す保持フレームを右前方から見た斜視図である。
【図８】図８Ａは、図５に示すボール供給ギヤを左前方から見た斜視図である。図８Ｂは、図８Ａに示すボール供給ギヤを右前方から見た斜視図である。
【図９】図９Ａは、図５に示すガイドフレームの左側面図である。図９Ｂは、図５に示す進出部材を左後方から見た斜視図である。
【図１０】図１０は、図２Ａに示す現像カートリッジの左側面図であって、ギヤカバー、保持フレームおよびガイドカバーを、現像カートリッジから除いた状態を示す。
【図１１】図１１Ａは、図２Ａに示すアダプタによるボールの発射を説明するための説明図であって、ボール供給ギヤが初期位置にあり、ガイドカバーをアダプタから除いた状態の左側面図を示す。図１１Ｂは、図２Ａに示すアダプタによるボールの発射を説明するための図１１Ａに示す駆動ユニットおよびアダプタの側断面図であって、ボール供給ギヤの欠け歯ギヤ部とアジテータギヤとの噛合状態を示す。
【図１２】図１２Ａは、図１１Ａに続いて、アダプタによるボールの発射を説明するための説明図であって、ボール供給ギヤの突起と進出部材の突起とが当接し、進出部材が閉鎖位置と開放位置との間にある状態を示す。図１２Ｂは、図１２Ａに続いて、アダプタによるボールの発射を説明するための説明図であって、進出部材が開放位置にあり、ボールがボール受部から第１ガイド部に供給される途中の状態を示す。
【図１３】図１３Ａは、図１２Ｂに続いて、アダプタによるボールの発射を説明するための説明図であって、進出部材が開放位置にあり、ボールが力付与位置にある状態を示す。図１３Ｂは、図１３Ａに続いて、アダプタによるボールの発射を説明するための説明図であって、進出部材が閉鎖位置にあり、ボールが発射された状態を示す。
【図１４】図１４Ａは、図１３Ｂに続いて、アダプタによるボールの発射を説明するための説明図であって、すべてのボールが発射された状態を示す。図１４Ｂは、図１４Ａに示す駆動ユニットおよびアダプタの側断面図であって、ボール供給ギヤが終着位置にある状態を示す。
【図１５】図１５は、図１４Ａに示すアダプタおよび検知機構の正断面図である。
【図１６】図１６は、本発明のアダプタの第２実施形態を備える現像カートリッジを左前方から見た斜視図であって、アダプタが筐体に装着された状態を示す。
【図１７】図１７は、図１６に示す現像カートリッジを左前方から見た斜視図であって、アダプタが筐体から離脱された状態を示す。
【図１８】図１８は、図１７に示すアダプタを左前方から見た分解斜視図である。
【図１９】図１９は、図１７に示すアダプタを右前方から見た斜視図である。
【図２０】図２０Ａは、図１８に示すギヤカバーを左前方から見た斜視図である。図２０Ｂは、図２０Ａに示すギヤカバーを右前方から見た斜視図である。
【図２１】図２１Ａは、本発明のアダプタの第３実施形態に係る発射ユニットを左前方から見た斜視図である。図２１Ｂは、図２１Ａに示す発射ユニットの左側面図であって、直動部材が初期位置にある状態を示す。
【図２２】図２２Ａは、図２１Ｂに示す発射ユニットによるボールの発射を説明するための説明図であって、最も前方のボールが発射された状態を示す。図２２Ｂは、図２２Ａに続き、発射ユニットによるボールの発射を説明するための説明図であって、すべてのボールが発射された状態を示す。図２２Ｃは、図２２Ｂに続き、発射ユニットによるボールの発射を説明するための説明図であって、直動部材が終着位置にある状態を示す。
【図２３】図２３Ａは、本発明のアダプタの第４実施形態である発射ユニットを左前方から見た斜視図である。図２３Ｂは、図２３Ａに示す発射ユニットの正面図である。
【図２４】図２４Ａは、図２３Ａに示す発射ユニットの右側面図である。図２４Ｂは、図２３Ａに示す発射ユニットの左側面図であって、ガイドフレームを発射ユニットから除いた状態を示す。
【図２５】図２５Ａは、図２３Ａに示す発射ユニットの左側面図である。図２５Ｂは、図２５Ａに示す２５Ａ−２５Ａ断面図である。
【図２６】図２６Ａは、本発明のアダプタの第５実施形態に係る発射ユニットを左前方から見た斜視図である。図２６Ｂは、図２６Ａに示す発射ユニットの正面図である。
【図２７】図２７Ａは、図２６Ａに示す発射ユニットの右側面図である。図２７Ｂは、図２６Ａに示す発射ユニットの左側面図であって、ガイドフレームを発射ユニットから除いた状態を示す。
【図２８】図２８Ａは、図２６Ａに示す発射ユニットの左側面図である。図２８Ｂは、図２８Ａに示す２８Ｂ−２８Ｂ断面図である。
【図２９】図２９Ａは、本発明のアダプタの第６実施形態に係る発射ユニットを左前方から見た斜視図である。図２９Ｂは、図２９Ａに示す発射ユニットの正面図である。
【図３０】図３０Ａは、図２９Ａに示す発射ユニットによるボールの発射を説明するための左側面図であって、羽根が第１ガイド部と接触する前の状態を示す。図３０Ｂは、図３０Ａに続いて、発射ユニットによるボールの発射を説明するための左側面図であって、羽根が、第１ガイド部と接触し、湾曲状態にある状態を示す。
【図３１】図３１Ａは、図３０Ｂに続いて、発射ユニットによるボールの発射を説明するための左側面図であって、羽根がボールと接触した状態を示す。図３１Ｂは、図３１Ａに続いて、発射ユニットによるボールの発射を説明するための左側面図であって、ボールが発射された状態を示す。
【図３２】図３２Ａは、本発明のアダプタの第７実施形態に係る発射ユニットを左前方から見た斜視図である。図３２Ｂは、図３２Ａに示す発射ユニットの正面図である。
【図３３】図３３Ａは、図３２Ａに示す発射ユニットによるボールの発射を説明するための左側面図であって、ボールが第１ガイド部に供給される前の状態を示す。図３３Ｂは、図３３Ａに続いて、発射ユニットによるボールの発射を説明するための左側面図であって、ボールが第１ガイド部に供給された後の状態を示す。
【図３４】図３４Ａは、本発明のアダプタの変形例に係る発射ユニットを左前方から見た斜視図であって、第２ガイド部がガイド板を備える態様を示す。図３４Ｂは、本発明のアダプタの変形例に係る発射ユニットを左前方から見た斜視図であって、第２ガイド部が１対のポール部材を備える態様を示す。
【図３５】図３５Ａは、本発明のアダプタの変形例に係る発射ユニットを左前方から見た斜視図であって、第２ガイド部が第１傾斜部および第２傾斜部を備える態様を示す。図３５Ｂは、図３５Ａに示す第１傾斜部および第２傾斜部の正断面図である。
【図３６】図３６は、本発明のアダプタの変形例に係る本体部および抵抗付与部材の左側面図である。
【図３７】図３７は、図１に示す現像カートリッジを備えるプリンタの中央断面図である。
【発明を実施するための形態】
【００３４】
まず、本発明の第１実施形態としてのアダプタ３４を備える現像カートリッジ１２について説明する。
１．現像カートリッジの全体構成
図１、図２Ａおよび図２Ｂを用いて、カートリッジの一例としての現像カートリッジ１２の全体構成を説明する。
【００３５】
なお、以下の説明において、現像カートリッジ１２の方向に関し、各図に示した矢印方向を基準とする。例えば、図２Ａ中に矢印で示すように、紙面右方を前方とし、紙面左方を後方とする。また、現像カートリッジ１２を前方から見たときを基準として現像カートリッジ１２の左右を規定する。つまり、上下方向が鉛直方向であり、前後左右方向が水平方向である。
【００３６】
現像カートリッジ１２は、図２Ｂに示すように、筐体１６と、攪拌部材の一例としてのアジテータ１９と、現像ローラ２２と、供給ローラ２３と、層厚規制ブレード２４とを備えている。
【００３７】
筐体１６は、その内部に、前後方向に並列されるトナー収容室１７および現像室１８を有している。トナー収容室１７は、現像剤の一例としてのトナーを収容している。
【００３８】
アジテータ１９は、トナー収容室１７の前後上下方向略中央部分に配置されている。また、アジテータ１９は、第３方向の一例としての左右方向に延びるアジテータ軸２０と、アジテータ軸２０からアジテータ軸２０の径方向の外側に延びる攪拌ブレード２１とを備えている。そして、アジテータ１９は、アジテータ軸２０の両端部が、筐体１６の両側壁３５に回転可能に支持されることによって、筐体１６に支持されている。これにより、アジテータ１９は、アジテータ軸２０の中心軸線Ａ１を中心に回転可能となるように構成されている。また、アジテータ軸２０の一端部は、図１０に示すように、左側壁３５Ｌから外側に露出している。アジテータ１９は、回転することにより、トナー収容室１７内のトナーを攪拌するとともに、現像室１８内の供給ローラ２３にトナーを供給する。
【００３９】
現像ローラ２２は、図２Ｂに示すように、左右方向に延びる現像ローラ軸２５と、その両端部が露出するように現像ローラ軸２５を被覆するゴムローラ２６とを備えている。ゴムローラ２６は、図１に示すように、その周面において、トナーを担持するトナー担持領域Ｔを有している。現像ローラ２２は、ゴムローラ２６が筐体１６の後方から露出するように配置されている。現像ローラ軸２５の両端部は、両方の側壁３５に回転可能にそれぞれ支持されている。これにより、現像ローラ２２は、現像ローラ軸２５の中心軸線Ａ２を中心に回転可能となるように構成されている。また、現像ローラ軸２５の両端部は、図１０に示すように、筐体１６の両側壁３５から左右方向の外側にそれぞれ露出している。
【００４０】
供給ローラ２３は、図２Ｂに示すように、左右方向に延びる供給ローラ軸２７と、その両端部が露出するように供給ローラ軸２７を被覆するスポンジローラ２８とを備えている。供給ローラ２３は、スポンジローラ２８がゴムローラ２６に前下方から圧接するように配置されている。供給ローラ軸２７の両端部は、筐体１６の両側壁３５に回転可能にそれぞれ支持されている。また、供給ローラ軸２７の両端部は、図１０に示すように、筐体１６の両側壁３５から左右方向の外側にそれぞれ露出している。供給ローラ２３は、回転することにより、供給ローラ２３に供給されたトナーを現像ローラ２２のトナー担持領域Ｔに供給する。このとき、供給ローラ２３と現像ローラ２２とが、それらローラ間でトナーを正極性に摩擦帯電する。
【００４１】
層厚規制ブレード２４は、図２Ｂに示すように、現像ローラ２２に前上方から接触するように、筐体１６に支持されている。層厚規制ブレード２４は、トナーの厚さを規制するように構成されている。これにより、現像ローラ２２が一定厚さの薄層となったトナーをトナー担持領域Ｔで担持する。
２．現像カートリッジの詳細
現像カートリッジ１２は、図１に示すように、筐体１６の左方に配置される駆動ユニット３６と、駆動ユニット３６の前方に配置されるアダプタ３４とを備えている。
（１）筐体
筐体１６は、図１に示すように、左右方向に延びる略ボックス形状を有しており、左右方向に互いに間隔を隔てて向かい合う１対の側壁３５を備えている。なお、左方の側壁３５は、第１壁の一例であり、以下の説明において左側壁３５Ｌとする。また、右方の側壁３５は、第２壁の一例であり、以下の説明において右側壁３５Ｒとする。また、筐体１６の後部は開放され、上記したように現像ローラ２２が露出している。
【００４２】
左側壁３５Ｌおよび右側壁３５Ｒのそれぞれは、前後方向に長い略矩形の略板形状を有している。
【００４３】
また、左側壁３５Ｌは、図４に示すように、支持軸４０と、軸部１３０と、リブ１３３とを備えている。
【００４４】
支持軸４０は、図１０に示すように、左側壁３５Ｌの左側面において、左側壁３５Ｌから露出するアジテータ軸２０の前上方において間隔を隔てて配置されている。また、図４に示すように、支持軸４０は、略円柱形状であり、左側壁３５Ｌから左方に向かって突出している。
【００４５】
軸部１３０は、左側壁３５Ｌの左側面において、支持軸４０の前上方に間隔を隔てて配置されている。軸部１３０は、略円柱形状であり、左側壁３５Ｌから左方に向かって突出している。軸部１３０は、大径部１３１と、大径部１３１の左方に配置される小径部１３２とを備え、それら大径部１３１と小径部１３２とが同軸上に配置されている。このため、軸部１３０は、段付円柱形状を有している。
【００４６】
リブ１３３は、左側壁３５Ｌの下端縁における前方部分から左右両側に突出する突条である。
（２）駆動ユニット
駆動ユニット３６は、左側壁３５Ｌの左側面に配置されており、ギヤカバー３７およびギヤトレイン３８（図１０参照）を備えている。
（２−１）ギヤカバー
ギヤカバー３７は、側面視において、左側壁３５Ｌの後部半分とほぼ同一形状およびサイズを有している。ギヤカバー３７は、略板形状のカバープレート４１と、壁部４２とを一体に備えている。カバープレート４１は、ギヤトレイン３８を左方から覆うように構成されている。壁部４２は、カバープレート４１の上端縁および下端縁のそれぞれから右方に突出している。すなわち、ギヤカバー３７は、上下方向に切断したときの断面形状がＵ字状となる、右方が開放される凹形状を有している。
【００４７】
また、ギヤカバー３７の前端部は開放されている。具体的には、カバープレート４１の前端部および上下両側の壁部４２の前端部が、後述するアジテータギヤ６０を前方から露出させる開口５４を画定している。
【００４８】
カバープレート４１は、図２Ａに示すように、カップリング挿通穴４３と、カップリングカラー４５とを有している。
【００４９】
カップリング挿通穴４３は、側面視略円形状であり、カバープレート４１の後端部を左右方向に貫通している。
【００５０】
カップリングカラー４５は、図１に示すように、略円筒形状を有し、カップリング挿通穴４３の周縁から左方に向かって突出している。
【００５１】
そして、ギヤカバー３７は、ギヤトレイン３８を覆うように、左側壁３５Ｌに対して左方から取り付けられている。これによって、後述する入力ギヤ５５のカップリング部６２が、カップリング挿通穴４３を介して、カップリングカラー４５に挿通された状態で、左方から露出されている。
（２−２）ギヤトレイン
ギヤトレイン３８は、図１０に示すように、筐体１６の左側壁３５Lの左側面に配置されている。また、ギヤトレイン３８は、駆動入力部の一例としての入力ギヤ５５、現像ギヤ５６、供給ギヤ５７、第１アイドルギヤ５８、第２アイドルギヤ５９およびアジテータギヤ６０を備えている。
【００５２】
入力ギヤ５５は、左側壁３５Ｌの後端部において、左側壁３５Ｌに回転可能に支持されている。入力ギヤ５５は、ギヤ部６１と、カップリング部６２とを備えている。
【００５３】
ギヤ部６１は、入力ギヤ５５の右方部分に構成されている。ギヤ部６１は、図１０に示すように、大径ギヤ６３と、大径ギヤ６３の左方に配置される小径ギヤ６４とを備える２段ギヤからなる。大径ギヤ６３および小径ギヤ６４は、それぞれの周面全周にわたって、ギヤ歯を有している。
【００５４】
カップリング部６２は、入力ギヤ５５の左方部分に位置し、小径ギヤ６４より小径であり、かつ、ギヤ部６１と中心軸線を共有する略円筒形状を有している。カップリング部６２の内側面は、結合凹部６５を有している。結合凹部６５は、後述する本体カップリング１１０を結合凹部６５に対して相対回転不能に受け入れるように構成されている。
【００５５】
現像ギヤ５６は、入力ギヤ５５の後下方に配置され、現像ローラ軸２５の左端部に相対回転不能に取り付けられている。現像ギヤ５６は、その周面全周にわたって、ギヤ歯を有している。そして、現像ギヤ５６は、入力ギヤ５５の大径ギヤ６３に対して後下方から噛合されている。
【００５６】
供給ギヤ５７は、入力ギヤ５５の下方に配置され、供給ローラ軸２７の左端部に相対回転不能に取り付けられている。供給ギヤ５７は、その周面全周にわたって、ギヤ歯を有している。そして、供給ギヤ５７は、入力ギヤ５５の小径ギヤ６４に対して下方から噛合されている。
【００５７】
第１アイドルギヤ５８は、入力ギヤ５５の前方において、左側壁３５Ｌに回転可能に支持されている。第１アイドルギヤ５８は、図１０および図１１Ｂに示すように、小径ギヤ６６と、小径ギヤ６６の左方に配置される大径ギヤ６７とを備える２段ギヤからなる。
【００５８】
小径ギヤ６６および大径ギヤ６７は、それぞれの周面全周にわたって、ギヤ歯を有している。第１アイドルギヤ５８の大径ギヤ６７は、図１０に示すように、入力ギヤ５５の小径ギヤ６４に対して前方から噛合されている。
【００５９】
第２アイドルギヤ５９は、第１アイドルギヤ５８の下方において、左側壁３５Ｌに回転可能に支持されている。第２アイドルギヤ５９は、その周面全周にわたって、ギヤ歯を有している。そして、第２アイドルギヤ５９は、図１１Ｂに示すように、第１アイドルギヤ５８の小径ギヤ６６に対して下方から噛合されている。
【００６０】
アジテータギヤ６０は、第２アイドルギヤ５９の前上方に配置され、アジテータ軸２０の左端部に相対回転不能に取り付けられている。アジテータギヤ６０は、その周面全周にわたって、ギヤ歯を有している。そして、アジテータギヤ６０は、第２アイドルギヤ５９に対して前上方から噛合されている。また、アジテータギヤ６０は、図４に示すように、ギヤカバー３７の開口５４を介して、ギヤカバー３７の前方から露出している。
【００６１】
図１０を用いて、入力ギヤ５５に外部から駆動力が入力された際の説明をする。
【００６２】
入力ギヤ５５の大径ギヤ６３に噛合する現像ギヤ５６は、左側面視反時計方向に回転し、現像ローラ２２を回転させる。また、入力ギヤ５５の小径ギヤ６４に噛合する供給ギヤ５７は、左側面視反時計方向に回転し、供給ローラ２３を回転させる。
【００６３】
また、入力ギヤ５５の小径ギヤ６４に噛合する第１アイドルギヤ５８の大径ギヤ６７は、左側面視反時計方向に回転し、第１アイドルギヤ５８の小径ギヤ６６に噛合する第２アイドルギヤ５９は、左側面視時計方向に回転し、さらに、第２アイドルギヤ５９に噛合するアジテータギヤ６０は、左側面視反時計方向に回転し、アジテータ１９を回転させる。
（２−３）アダプタ
アダプタ３４は、図３に示すように、駆動ユニット３６の前方において、左側壁３５Ｌの左側面に離脱可能に構成されている。アダプタ３４は、図５に示すように、保持フレーム６８と、保持フレーム６８に保持される発射装置の一例としての発射ユニット３９とを備えている。
（２−３−１）保持フレーム
保持フレーム６８は、図７Ａおよび図７Ｂに示すように、後部および右部が開放される略ボックス形状である。保持フレーム６８は、側面視略矩形の略板形状のベースプレート１３９と、上壁１４０と、底壁１４２と、前壁１４１とを一体に備えている。上壁１４０は、ベースプレート１３９の上端部から右方に向かって突出している。底壁１４２は、ベースプレート１３９の下端部から右方に向かって突出している。前壁１４１は、ベースプレート１３９の前端部から右方に向かって突出し、上壁１４０および底壁１４２の前端部を連結している。
【００６４】
ベースプレート１３９は、貫通孔４４を有している。貫通孔４４は、側面視略円形状であり、ベースプレート１３９の略中央部分を、左右方向に貫通している。貫通孔４４の内径は、後述する円板部７８の外径と略同径である。
【００６５】
また、ベースプレート１３９は、円周壁４６と、受入部４９と、連結部５０と、カバー固定部１４３とを備えている。
【００６６】
円周壁４６は、略円筒形状であり、ベースプレート１３９における貫通孔４４の周縁から左方に向かって突出している。円周壁４６の左右方向の寸法は、後述するボール７１の直径よりも長い。
【００６７】
また、円周壁４６は、後述するボール７１の通過を許容する排出口４７および供給口６９を有している。排出口４７は、円周壁４６における前端部を前後方向に貫通している。供給口６９は、円周壁４６の上端部を上下方向に貫通している。
【００６８】
受入部４９および連結部５０は、円周壁４６内に配置されている。受入部４９は、略円筒形状であり、円周壁４６内における側面視略中心に配置されており、左右方向に延びている。受入部４９の左右方向の寸法は、後述するボール供給ギヤ７０の左右方向の寸法と略同じ寸法である。また、受入部４９は、その右端部において係止爪１４６を備えている。係止爪１４６は、受入部４９の右端部の外周面から径方向の外方へ向かって突出する円環形状をなし、左右方向に切断したときの切断面が鉤状を有する。
【００６９】
また、係止爪１４６は、その右端縁から左方に向かって切り欠かれる切欠溝１４７を有している。切欠溝１４７は、受入部４９の周方向において、互いに等間隔を隔てて複数、具体的には、略９０°の間隔を隔てて、例えば、４つ配置されている。これによって、係止爪１４６は、受入部４９の径方向の内方に向かって撓むように弾性変形可能に構成されている。
【００７０】
連結部５０は、略板形状であり、受入部４９の左端部における外周面と、円周壁４６の内周面とを、円周壁４６の径方向に沿って連結している。詳しくは、連結部５０は、受入部４９の左端部における外周面の前方部分から前下方に向かって延び、円周壁４６の内周面における前下方部分に接続されている。
【００７１】
カバー固定部１４３は、円周壁４６の前下方において間隔を隔てて配置され、ベースプレート１３９の左面から左方に向かって突出する略円筒形状を有する。
【００７２】
前壁１４１は、開口４８を有している。開口４８は、前壁１４１の上下方向略中央部分を前後方向に貫通しており、排出口４７と左右方向に連通している。また、開口４８は、ボール供給ギヤ７０が回転されたときに、突起８２の通過を許容するように構成されている。
【００７３】
また、前壁１４１は、係合部の一例としてのスナップフィット部１４４と、延設部１４５とを備えている。
【００７４】
スナップフィット部１４４は、前壁１４１における開口４８よりも下方の部分の右方に配置され、平板部１５２と、爪部１５３とを備えている。
【００７５】
平板部１５２は、前壁１４１の右端縁における開口４８よりも下方の部分から右方に向かって突出しており、平面視略矩形の略板形状である。爪部１５３は、正面視略鉤状であり、平板部１５２の上面における右端部から上方に向かって突出している。これによって、スナップフィット部１４４は、上下方向に撓むように弾性変形可能である。
【００７６】
延設部１４５は、前壁１４１の右端部における開口４８よりも上方の部分から連続して設けられている。具体的には、延設部１４５は、前壁１４１の右端部から連続する第１延設部１４８と、第１延設部１４８の下端部から連続する第２延設部１４９とを備えている。
【００７７】
第１延設部１４８は、前壁１４１の右端部から、前方に向かって突出する側面視略矩形の略板形状を有する。また、第１延設部１４８は、嵌合穴１５０を有している。嵌合穴１５０は、第１延設部１４８の側面視略中央部分において、左右方向に貫通する側面視略円形状である。
【００７８】
第２延設部１４９は、第１延設部１４８の下端部における後端部から、下方に向かって延びた後、後方に向かって延びる側面視略Ｌ字の略板形状を有している。これによって、第２延設部１４９の下方部分、すなわち前後方向に延びる部分は、前壁１４１における開口４８よりも下方の部分の右方に隣接配置されている。
【００７９】
そして、第２延設部１４９は、スナップフィット部１４４に対応する部分に、スナップフィット部１４４が挿通されるスナップフィット挿通穴１５１を有している。これによって、スナップフィット部１４４は、スナップフィット挿通穴１５１を介して、第２延設部１４９よりも右方に突出している。
（２−３−２）発射ユニット
発射ユニット３９は、図５に示すように、駆動力伝達部材の一例としてのボール供給ギヤ７０と、射出部７２と、物体の一例としてのボール７１とを備えている。
【００８０】
ボール供給ギヤ７０は、図８Ａおよび図８Ｂに示すように、欠け歯ギヤ部７３と、ボール収容部７４とを備えている。
【００８１】
欠け歯ギヤ部７３は、図８Ｂに示すように、ボール供給ギヤ７０の右方部分に配置されている。欠け歯ギヤ部７３は、その周面において、図１４Ｂに示すように、約３１５°の中心角を有する部分にギヤ歯を有している。すなわち、欠け歯ギヤ部７３の周面は、ギヤ歯を有する歯部７５と、ギヤ歯を有さない欠け歯部７６とを有している。また、欠け歯ギヤ部７３は、その中央部分に、支持軸４０を受け入れるように構成される第１穴７７を有している。
【００８２】
ボール収容部７４は、図８Ａおよび図８Ｂに示すように、ボール供給ギヤ７０の左方部分に配置されている。ボール収容部７４は、円板部７８と、筒部７９と、区画リブ８３と、突起８２とを備えている。
【００８３】
円板部７８は、左右方向に厚みを有し、欠け歯ギヤ部７３よりも大径な略円板形状を有している。そして、円板部７８は、欠け歯ギヤ部７３と中心軸線を共有するように、ボール供給ギヤ７０の左方に隣接配置されている。また、円板部７８は、その中央部分に、第１穴７７と左右方向に連通する第２穴８１を有している。
【００８４】
筒部７９は、図８Ａに示すように、略円筒形状を有し、円板部７８の左端面における第２穴８１の周縁から、左方に向かって突出している。これによって、筒部７９は、円板部７８と中心軸線を共有している。
【００８５】
区画リブ８３は、円板部７８の左面から左方に向かって突出しており、第１リブ８４と、第２リブ８５と、第３リブ８６とを有している。第１リブ８４は、筒部７９から径方向に延びている。第２リブ８５と第３リブ８６とは、第１リブ８４から連続しており、円板部７８の周縁まで延びている。
【００８６】
第１リブ８４は、筒部７９の周方向において、互いに等間隔を隔てて複数配置されている。具体的には、例えば、４つの第１リブ８４が、互いに略９０°の間隔を隔てて配置されている。第２リブ８５は、対応する第１リブ８４の径方向の外側端部から連続しており、その第１リブ８４の延びる方向に対して、ボール供給ギヤ７０の回転方向Ｒの下流側に略４５°屈曲した後、円板部７８の周縁まで延びている。第３リブ８６は、対応する第１リブ８４の径方向の外側端部から連続しており、その第１リブ８４の延びる方向に対して、ボール供給ギヤ７０の回転方向Ｒの上流側に略４５°屈曲した後、円板部７８の周縁まで延びている。
【００８７】
これによって、筒部７９の周方向において互いに隣り合う第１リブ８４のうち、回転方向Ｒの上流側の第１リブ８４から連続する第２リブ８５と、回転方向Ｒの下流側の第１リブ８４から連続する第３リブ８６とは、互いに平行となるように間隔を隔てて対向配置されている。このように対向配置される第２リブ８５および第３リブ８６の間隔は、ボール７１の直径よりも僅かに広くなっている。
【００８８】
さらに、ボール供給ギヤ７０は、第１受部の一例としてのボール受部８０を備えている。
【００８９】
ボール受部８０は、筒部７９の周方向において互いに隣り合う第１リブ８４、それら第１リブ８４からそれぞれ連続し、互いに対向配置される第２リブ８５および第３リブ８６、１対の第１リブ８４の間に存在する筒部７９の周面の一部、および、１対の第１リブ８４と第２リブ８５および第３リブ８６によって区画された領域に対応する円板部７８の左面により画定されている。
【００９０】
つまり、ボール受部８０は、左右方向から見て、円板部７８の径方向の外方に向かって開放する略Ｕ字状を有している。また、ボール受部８０は、円板部７８の周方向に互いに等間隔を隔てて複数配置されており、円板部７８の中心軸線に対して回転対称となっている。具体的には、ボール受部８０は、円板部７８の中心軸線に対して、９０°回転対称となるように、円板部７８の周方向に互いに略９０°の間隔を隔てて、例えば、４つ配置されている。
【００９１】
突起８２は、円板部７８の周面から円板部７８の周方向の外方に向かって突出しており、側面視略矩形状である。また、突起８２は、４つのボール受部８０のそれぞれに対応して、円板部７８の周方向に互いに略９０°の間隔を隔てて、例えば、４つ配置されている。詳しくは、突起８２は、側面視において各ボール受部８０の第３リブ８６と、円板部７８の径方向に隣り合うように配置されている。
【００９２】
そして、ボール供給ギヤ７０は、図６に示すように、第１穴７７および第２穴８１に受入部４９が相対回転可能に挿入されるとともに、欠け歯ギヤ部７３の右面における第１穴７７の周縁が係止爪１４６に係止された状態で、保持フレーム６８に回転可能に支持されている。また、ボール供給ギヤ７０の突起８２は、図１０に示すように、円板部７８の周方向において、突起１０２と間隔を隔てて対向配置されている。また、ボール供給ギヤ７０のボール受部８０は、ベースプレート１３９の貫通孔４４を介して、円周壁４６内に配置されている。
【００９３】
ボール７１は、図１０に示すように、樹脂材料などからなり略球状である。そして、ボール７１は、複数のボール受部８０のそれぞれに対応して複数備えられている。ボール７１は、各ボール受部８０に１つずつ収容されるため、ボール収容部７４に、例えば、合計４つ保持されている。なお、このようなボール７１の個数は、現像カートリッジ１２の情報、たとえば、現像カートリッジ１２の内部に収容されているトナー容量、トナー色などの情報に対応している。
【００９４】
射出部７２は、図５に示すように、ガイドフレーム９０と、力付与部材の一例としての付勢ユニット９１と、ガイドカバー９２と、ねじ部材１５７とを備えている。
【００９５】
ガイドフレーム９０は、ガイド部９３と、固定部９４とを備えている。
【００９６】
ガイド部９３は、左右方向に切断したときの断面形状が左方に向かって開放されるＵ字状であり、上下方向に延びた後、屈曲してさらに左上方に延びている。具体的には、ガイド部９３は、第２受部の一例としての第１ガイド部９５と、第２ガイド部９６とを備えている。
【００９７】
第１ガイド部９５は、ガイド部９３の下方部分を構成している。第１ガイド部９５は、凹形状を有し、左方に向かって開放され、上下方向に延びている。また、第１ガイド部９５の下端部は、底壁により閉鎖されている。
【００９８】
また、第１ガイド部９５は、図９Ａに示すように、受入口９７と、挿通口８８とを有している。受入口９７は、ボール７１を受け入れるように構成されている。挿通口８８は、進出部材９８の延長部１０１が挿通されるように構成されている。
【００９９】
受入口９７は、第１ガイド部９５の後壁の上端部を前後方向に貫通している。受入口９７は、ボール７１の通過を許容する形状およびサイズを有している。
【０１００】
挿通口８８は、進出部材９８の突起１０２に対応しており、第１ガイド部９５の右壁の後端部を、左右方向に貫通している。挿通口８８は、上下方向に長い側面視略矩形状である。
【０１０１】
第２ガイド部９６は、図５に示すように、ガイド部９３の上方部分を構成している。第２ガイド部９６は、凹形状を有し、左下方に向かって開放されている。また、第２ガイド部９６は、図１５に示すように、第１ガイド部９５の上端部から連続しており、上方に向かうにつれて、左方に傾斜している。この構成により、第２ガイド部９６の上端部は、左右方向において、第１ガイド部９５の下端部よりも、左側壁３５Ｌから離れるように配置されている。また、第２ガイド部９６の上端部は、筐体１６の上端よりも上方に配置されている。
【０１０２】
また、第１ガイド部９５が延びる第１ガイド方向Ｘと、第２ガイド部９６が延びる第２ガイド方向Ｙとが成す角θの角度は、例えば、０°よりも大きく、例えば、１８０°以下、好ましくは、９０°以下、より好ましくは、４５°に設定されている。なお、第１ガイド部９５の延びる第１ガイド方向Ｘとは、具体的には、下方から上方に向かう方向であり、第２ガイド部９６の延びる第２ガイド方向Ｙとは、具体的には右下方から左上方に向かう方向のことを指す。
【０１０３】
固定部９４は、図９Ａに示すように、第１ガイド部９５の後壁の左方部分から、後方に向かって突出しており、側面視略矩形の板形状を有している。また、固定部９４は、第１ねじ穴１５４を有している。第１ねじ穴１５４は、側面視略円形状であり、固定部９４の側面視略中央部分を、左右方向に貫通している。また、第１ねじ穴１５４の内径は、カバー固定部１４３の外径と略同径である。
【０１０４】
そして、ガイドフレーム９０は、図５および図１１Ａに示されるように、受入口９７が排出口４７の前方に配置されるとともに、第１ねじ穴１５４にカバー固定部１４３の左端部が嵌合した状態で、保持フレーム６８に組み付けられている。これによって、ガイド部９３は、保持フレーム６８の円周壁４６の前方かつ延設部１４５の左方に配置され、受入口９７と排出口４７とは、前後方向に連通している。
【０１０５】
付勢ユニット９１は、第１ガイド部９５内に収容されており、図５に示すように、供給部材の一例としての進出部材９８と、弾性部材の一例としてのばね部材９９とを備えている。
【０１０６】
進出部材９８は、図９Ｂに示すように、台座部１００と、供給規制部の一例としての延長部１０１と、突起１０２とを備えている。
【０１０７】
台座部１００は、下方に向かって開放される側面視略Ｕ字形状であり、上面が左右方向に延びている。
【０１０８】
延長部１０１は、台座部１００の上面の後端部から上方に向かって突出し、左右方向に延びる略板形状を有している。また、延長部１０１の右端部は、台座部１００の右端縁よりも右方に向かって突出している。
【０１０９】
突起１０２は、延長部１０１の後面の右端部から、後方に向かって突出しており、側面視略矩形状を有している。つまり、突起１０２は、左右方向に延びる略角柱形状を有している。
【０１１０】
そして、進出部材９８は、図１０に示すように、台座部１００が第１ガイド部９５内に配置され、かつ、突起１０２が挿通口８８に挿通された状態で、第１ガイド部９５内に収容されている。これによって、突起１０２は、図６に示すように、挿通口８８を介して、第１ガイド部９５の右壁よりも右方に突出している。
【０１１１】
また、進出部材９８は、図１０に示すように、上下方向に進退自在となるように、ガイド部９３に支持されている。
【０１１２】
ばね部材９９は、上下方向に伸長可能な空心コイル状からなる。そして、ばね部材９９は、進出部材９８の上壁と第１ガイド部９５の底壁との間に挟まれた状態で、第１ガイド部９５に収容されている。
【０１１３】
これにより、進出部材９８は、常には、上方に向かって付勢されており、延長部１０１の上端部が受入口９７の上縁に下方から接触し、延長部１０１が排出口４７および受入口９７を閉鎖する閉鎖位置に配置されている。なお、ばね部材９９は、進出部材９８が閉鎖位置にある状態において、第２状態の一例としての伸張状態にある。
【０１１４】
ガイドカバー９２は、図５に示すように、透明な樹脂材料などからなる。ガイドカバー９２は、図２Ａに示すように、側面視において、略板形状を有し、円周壁４６およびガイドフレーム９０を左方から覆うように構成されている。
【０１１５】
具体的には、ガイドカバー９２は、第１部分１０３と、第２部分１０４と、第３部分１０５とを一体に備えている。第１部分１０３は、第１ガイド部９５および固定部９４を被覆するように構成されている。第２部分１０４は、第２ガイド部９６を被覆するように構成されている。第３部分１０５は、円周壁４６を被覆するように構成されている。
【０１１６】
第１部分１０３は、側面視略矩形状である。また、第１部分１０３は、図５に示すように、第２ねじ穴１５６を有している。第２ねじ穴１５６は、側面視略円形状であり、第１部分１０３の後下方部分を左右方向に貫通している。
【０１１７】
第２部分１０４は、第１部分１０３の前方部分の上端から連続しており、第２ガイド部９６の傾斜に沿うように、上方に向かうにつれて左方に傾斜している。第２部分１０４は、略板形状を有している。第３部分１０５は、図２Ａに示すように、第１部分１０３の後上方部分から、後上方に向かって膨出しており、側面視略３／４円弧形状を有している。また、第３部分１０５の略中央部分は、受入部４９の左端部が挿入される挿入穴１０６を有している。
【０１１８】
そして、ガイドカバー９２は、挿入穴１０６に受入部４９の左端部が挿入され、かつ、第２ねじ穴１５６を介して、カバー固定部１４３が左方から露出する状態で、保持フレーム６８およびガイドフレーム９０の左方に配置されている。
【０１１９】
また、ねじ部材１５７が、ガイドカバー９２の第２ねじ穴１５６およびガイドフレーム９０の第１ねじ穴１５４を介して、カバー固定部１４３に螺合されている。これによって、ガイドカバー９２およびガイドフレーム９０が、保持フレーム６８に固定されている。
【０１２０】
これによって、第２ガイド部９６の上端部および第２部分１０４の上端部が、図２Ａおよび図２Ｂに示すように、発射開口１０７を画定している。
【０１２１】
発射開口１０７は、図１に示すように、現像ローラ２２のトナー担持領域Ｔに対して、左右方向の外側に配置されている。また、発射開口１０７は、図２Ｂに示すように、筐体１６の左右方向略中央部分を上下方向に切断したときの切断面の外形の外側に配置されている。つまり、発射開口１０７は、図１５に示すように、左右方向に投影したときに、筐体１６と重ならないように配置されている。
【０１２２】
また、ボール供給ギヤ７０のボール受部８０と、保持フレーム６８の円周壁４６と、ガイドカバー９２の第３部分１０５とが、複数のボール７１を収容する収容部として機能する。
（２−４）アダプタの筐体に対する組み付け
次に、アダプタ３４の筐体１６に対する組み付けについて説明する。
【０１２３】
アダプタ３４を筐体１６に組み付けるには、図４に示すように、アダプタ３４が、左側壁３５Ｌの前方部分の左方に間隔を隔てて配置される。そして、アダプタ３４は、受入部４９内に支持軸４０が挿入されるように、左側壁３５Ｌに対して左方から組み付けられる。
【０１２４】
そうすると、スナップフィット部１４４の爪部１５３が、左側壁３５Ｌのリブ１３３に左方から当接する。これにより、スナップフィット部１４４は、爪部１５３の突出分だけ下方に弾性変形される。
【０１２５】
そして、アダプタ３４が、さらに右方に向かって移動されると、スナップフィット部１４４の爪部１５３が、リブ１３３よりも右方に到達し、スナップフィット部１４４が復元して、爪部１５３とリブ１３３の右端部とが係合する。このとき、延設部１４５の嵌合穴１５０が、軸部１３０の小径部１３２に径方向外側から嵌合される。
【０１２６】
これらによって、アダプタ３４が左側壁３５Ｌに対して位置決めされ、アダプタ３４の筐体１６への組み付けが完了する。
【０１２７】
このとき、ボール供給ギヤ７０は、図１１Ｂに示すように、欠け歯部７６に対して回転方向Ｒの上流側に配置される歯部７５がアジテータギヤ６０に対して前方から噛合する初期位置に配置されている。
【０１２８】
これによって、後述する本体カップリング１１０からの駆動力が、ギヤトレイン３８を介して、ボール供給ギヤ７０に入力されると、ボール供給ギヤ７０は、受入部４９の中心軸線Ａ３を回転中心として、矢印で示す回転方向Ｒすなわち左側面視反時計方向に回転される。つまり、ボール供給ギヤ７０は、入力ギヤ５５から駆動力が伝達されるように、第１アイドルギヤ５８、第２アイドルギヤ５９およびアジテータギヤ６０を介して、入力ギヤ５５と連結されている。
【０１２９】
なお、アダプタ３４を筐体１６から離脱させるには、図３に示すように、スナップフィット部１４４が下方に向かって弾性変形され、爪部１５３とリブ１３３との係合が解除される。続いて、アダプタ３４が、左側壁３５Ｌに対して左方に向かって移動される。
【０１３０】
これによって、アダプタ３４の筐体１６からの離脱が完了する。
（２−５）アダプタによるボールの発射動作
次に、アダプタ３４によるボール７１の発射動作について説明する。
【０１３１】
入力ギヤ５５に外部からの駆動力が入力されると、図１０に示すように、入力ギヤ５５は、現像ギヤ５６、供給ギヤ５７、第１アイドルギヤ５８およびアジテータギヤ６０に駆動力を伝達する。現像ローラ２２は、現像ギヤ５６に伝達された駆動力により回転する。供給ローラ２３は、供給ギヤ５７に伝達された駆動力により回転する。アジテータ１９は、第１アイドルギヤ５８、第２アイドルギヤ５９およびアジテータギヤ６０に伝達された駆動力により回転する。また、それと同時に、アジテータギヤ６０に入力された駆動力により、ボール供給ギヤ７０は、初期位置から回転方向Ｒに回転する。
【０１３２】
そうすると、突起８２が、図１２Ａに示すように、ボール供給ギヤ７０の回転に伴って、突起１０２に上方から当接し、突起１０２を下方に向かって押圧する。なお、図１１〜図１５においては、説明の便宜上、ガイドカバー９２が省略されている。
【０１３３】
これにより、進出部材９８は、図１２Ｂおよび図１３Ａに示すように、ばね部材９９の付勢力に抗して、閉鎖位置から下方に向かって移動され、延長部１０１が排出口４７および受入口９７を開放する開放位置に配置される。このとき、ばね部材９９は、伸張状態から下方に向かって収縮され、最も大きな弾性エネルギーを蓄積する第１状態の一例としての収縮状態に弾性変形される。
【０１３４】
これにより、複数のボール受部８０のうちの一つが、前下方に向かって開放するように位置し、排出口４７および受入口９７を介して、第１ガイド部９５内と連通される。そうすると、ボール受部８０に収容されているボール７１は、第３リブ８６の傾斜に沿って、矢印で示す第２方向の一例としての供給方向Ｓ、すなわち後上方から前下方に向かう方向に移動する。このとき、ボール７１は、その左端部が連結部５０の上面に当接する。これによって、連結部５０は、供給方向Ｓに沿って排出口４７に向かう、ボール７１の移動をガイドする。
【０１３５】
そうすると、ボール７１は、排出口４７および受入口９７を介して、第１ガイド部９５内に供給される。つまり、排出口４７は、複数のボール７１のうちの一つを付勢ユニット９１に向けて排出する。
【０１３６】
そして、ボール７１は、図１３Ａに示すように、第１ガイド部９５内に受け入れられ、台座部１００の上方に載った状態となる。これにより、ボール７１は、ばね部材９９がその付勢力を台座部１００を介してボール７１に付与する力付与位置に配置される。つまり、進出部材９８は、ボール供給ギヤ７０に伝達される駆動力により、ボール受部８０に収容されているボール７１を、ボール受部８０から第１ガイド部９５に移動させ、力付与位置に供給する。
【０１３７】
そして、図１３Ｂに示すように、さらにボール供給ギヤ７０が回転すると、突起８２と突起１０２との当接が解除される。そうすると、ばね部材９９は、収縮状態から、蓄積された弾性エネルギーを解放するように、上方に向かって伸張し、第２状態の一例としての伸張状態に弾性変形される。これにより、進出部材９８は、上方に向かって、開放位置から閉鎖位置に向かって移動する。つまり、進出部材９８の延長部１０１は、ボール７１の供給またはボール７１の供給停止に伴って、排出口４７を開閉する。
【０１３８】
このとき、力付与位置にあるボール７１は、図１５に示すように、ばね部材９９により、台座部１００を介して、矢印で示す第１方向の一例としての付勢方向Ｂ、すなわち下方から上方に向かう方向に付勢される。これにより、ボール７１は、台座部１００から離間するように上方に向かって飛ばされる。つまり、付勢ユニット９１は、収縮状態にあるばね部材９９が、ボール供給ギヤ７０に伝達される駆動力により、伸張状態に弾性変形することによって、力付与位置にあるボール７１に発射のための力を付与する。
【０１３９】
つまり、付勢ユニット９１は、入力ギヤ５５が受ける駆動力により、ばね部材９９が収縮状態から伸張状態に弾性変形することによって、第１ガイド部９５内に位置するボール７１に、発射するための力を付与するように構成されている。また、付勢方向Ｂと供給方向Ｓとは異なる方向である。
【０１４０】
そして、ボール７１は、第１ガイド部９５により、第１ガイド方向Ｘに沿ってガイドされ、上方に向かって移動される。なお、本実施形態において、第１ガイド方向Ｘと付勢方向Ｂとは、同一方向である。つまり、第１ガイド部９５は、付勢ユニット９１により飛ばされたボール７１が付勢方向Ｂに沿って移動するように、ボール７１をガイドする。
【０１４１】
続いて、ボール７１は、第１ガイド部９５と第２ガイド部９６との接続部分に到達する。そうすると、ボール７１は、第１ガイド部９５と第２ガイド部９６との接続部分にガイドされ、ボール７１の移動方向が付勢方向Ｂに沿う方向から、矢印で示す排出方向Ｄ、すなわち右下方から左上方に向かう方向に変更される。なお、本実施形態において、第２ガイド方向Ｙと排出方向Ｄとは、同一方向である。
【０１４２】
そして、ボール７１は、第２ガイド部９６に到達し、第２ガイド部９６により、第２ガイド方向Ｙに沿ってガイドされ、左側壁３５Ｌから離れるように左上方に向かって移動される。つまり、第２ガイド部９６は、ボール７１を、付勢方向Ｂとは異なる排出方向Ｄに移動するようにガイドする。
【０１４３】
そして、第２ガイド部９６にガイドされたボール７１は、発射開口１０７に到達し、発射開口１０７から発射ユニット３９外に発射される。
【０１４４】
続いて、図１２〜図１４Ｂに示すように、ボール供給ギヤ７０がさらに回転することにより、上記と同様にして、複数のボール７１が順次、発射ユニット３９から発射される。
【０１４５】
そして、すべてのボール７１が発射ユニット３９から発射されると、図１４Ｂに示すように、欠け歯ギヤ部７３の歯部７５とアジテータギヤ６０のギヤ歯との噛合が解除されて、ボール供給ギヤ７０が、欠け歯ギヤ部７３の欠け歯部７６がアジテータギヤ６０のギヤ歯に対向する終着位置に配置される。これにより、ボール供給ギヤ７０の回転が停止する。
【０１４６】
つまり、発射ユニット３９による全てのボール７１の発射が終了した後において、ボール供給ギヤ７０は、入力ギヤ５５との連結が解除され、ボール供給ギヤ７０の回転が停止される。
【０１４７】
以上によって、アダプタ３４によるボール７１の発射が完了する。
（２−６）アダプタの再利用
このようなアダプタ３４は、図４に示すように、再利用できる。アダプタ３４は、再利用されるときに、まず、上記のように、一度新品と判別された現像カートリッジ１２の筐体１６（旧品の現像カートリッジ１２）から離脱される。
【０１４８】
そして、アダプタ３４が筐体１６から離脱された状態で、ボール供給ギヤ７０は、終着位置から回転され、再度、初期位置に位置される。また、ボール供給ギヤ７０が終着位置から初期位置までの間を移動される際に、ボール７１は、供給口６９を介して、ボール受部８０に適宜供給される。例えば、ボール７１が、各ボール受部８０に１つずつ供給される。
【０１４９】
これによって、アダプタ３４が、図１１Ａに示すように、発射ユニット３９がボール７１を発射する前の状態となる。
【０１５０】
その後、アダプタ３４は、新品の現像カートリッジ１２の筐体１６に、上記したように、組み付けられる。つまり、アダプタ３４は、複数回再利用することができる。
３．第２実施形態
次に、本発明の第２実施形態について説明する。
【０１５１】
図１６〜図２０Ｂにおいて、図１〜図１５に示す各部に対応する部分には、それらの各部と同一の参照符号を付し、その説明を省略する。
【０１５２】
本発明の第２実施形態において、現像カートリッジ１２は、図１７に示すように、アダプタ１７０を備えている。アダプタ１７０は、筐体１６の左側壁３５Ｌに離脱可能に構成されている。
【０１５３】
アダプタ１７０は、図１８に示すように、ギヤカバー１７１と、ギヤホルダ１７２と、駆動力伝達部材の一例としてのギヤトレイン１７３と、発射ユニット３９とを備えている。
（１）ギヤカバー
ギヤカバー１７１は、図２０Ａおよび図２０Ｂに示すように、後部および右部が開放される略ボックス形状を有している。ギヤカバー１７１は、略板形状のカバープレート１７５と、上壁１７６と、底壁１７７と、前壁１７８とを一体に備えている。カバープレート１７５は、ギヤトレイン１７３および後述するボール供給ギヤ７０を左方から覆うように構成されている。上壁１７６は、カバープレート１７５の上端部から右方に向かって突出している。底壁１７７は、カバープレート１７５の下端部から右方に向かって突出している。前壁１７８は、カバープレート１７５の前端部から右方に向かって突出し、上壁１７６および底壁１７７の前端部を連結している。
【０１５４】
カバープレート１７５は、カップリング挿通穴４３と、供給ギヤ係合穴１７９と、貫通孔４４とを有している。
【０１５５】
供給ギヤ係合穴１７９は、図２０Ａに示すように、側面視略円形状であり、カップリング挿通穴４３の下方において、カバープレート１７５の後端部を左右方向に貫通している。
【０１５６】
また、カバープレート１７５は、その左面において、カップリングカラー４５と、円周壁４６と、受入部４９と、連結部５０と、カバー固定部１４３とを備えている。
【０１５７】
受入部４９の左右方向の寸法は、ボール供給ギヤ７０の左右方向の寸法、および、ギヤホルダ１７２の左右方向の寸法の総和と略同じ寸法である。
【０１５８】
また、カバープレート１７５は、図２０Ｂに示すように、その右面において、アイドルギヤ支持軸１８１を備えている。
【０１５９】
アイドルギヤ支持軸１８１は、略円筒形状であり、カバープレート１７５の右面における前後方向略中央部分から、右方に向かって突出している。アイドルギヤ支持軸１８１の左右方向の寸法は、第１アイドルギヤ５８の左右方向の寸法、および、ギヤホルダ１７２の左右方向の寸法の総和と略同じ寸法である。また、アイドルギヤ支持軸１８１は、その右端部において係止爪１８２を備えている。係止爪１８２は、アイドルギヤ支持軸１８１の右端部の外周面から径方向の外方へ向かって突出する円環形状をなし、左右方向に切断したときの切断面が鉤状を有する。
【０１６０】
また、係止爪１８２は、その右端縁から左方に向かって切り欠かれる切欠溝１８３を有している。切欠溝１８３は、アイドルギヤ支持軸１８１の周方向において、互いに等間隔を隔てて複数、例えば、略９０°の間隔を隔てて４つ配置されている。これによって、係止爪１８２は、アイドルギヤ支持軸１８１の径方向の内方に向かって撓むように弾性変形可能である。
【０１６１】
底壁１７７は、突部１８５を有している。突部１８５は、略板形状であり、底壁１７７の上面における前後方向略中央部分から上方に向かって突出している。
【０１６２】
前壁１７８は、その上下方向略中央部分において、開口４８を有している。また、前壁１７８は、スナップフィット部１４４と、延設部１４５とを備えている。スナップフィット部１４４は、前壁１７８の右端部における排出口４７よりも下方の部分から連続している。延設部１４５は、前壁１７８の右端縁における排出口４７よりも上方の部分から連続している。
（２）ギヤホルダ
ギヤホルダ１７２は、図１８に示すように、前後方向に長い側面視略矩形の略板形状である本体部１９１を備えている。
【０１６３】
本体部１９１は、第１係合穴１８６と、アジテータ軸挿通穴１８８と、第２係合穴１８７と、嵌合溝１８９と、第１切欠部１９０と、第２切欠部１９５とを有している。
【０１６４】
第１係合穴１８６は、側面視略円形状であり、本体部１９１の前上方部分を左右方向に貫通している。アジテータ軸挿通穴１８８は、側面視略円形状であり、第１係合穴１８６の後下方において、本体部１９１を左右方向に貫通している。第２係合穴１８７は、側面視略円形状であり、アジテータ軸挿通穴１８８の後上方において、本体部１９１を左右方向に貫通している。嵌合溝１８９は、本体部１９１の下端縁における前後方向略中央部分から、上方に向かって凹んでいる。第１切欠部１９０は、本体部１９１の下端縁における嵌合溝１８９の後方から、後方に向かうにつれて上方に傾斜するように切り欠かれている。第２切欠部１９５は、本体部１９１の下端縁における嵌合溝１８９の前方から、前方に向かうにつれて上方に傾斜するように切り欠かれている。
【０１６５】
また、ギヤホルダ１７２は、カラー部１９２と、アイドルギヤ支持ボス１９３と、入力ギヤ支持ボス１９４とを備えている。
【０１６６】
カラー部１９２は、略円筒形状であり、本体部１９１におけるアジテータ軸挿通穴１８８の周縁から左方に向かって突出している。アイドルギヤ支持ボス１９３は、カラー部１９２の後下方に間隔を隔てて配置されている。アイドルギヤ支持ボス１９３は、略円柱形状であり、本体部１９１の左面から左方に向かって突出している。
【０１６７】
入力ギヤ支持ボス１９４は、略円柱形状であり、本体部１９１の左面における後端部から左方に向かって突出している。
（３）ギヤトレイン
ギヤトレイン１７３は、入力ギヤ５５、供給ギヤ５７、第１アイドルギヤ５８、第２アイドルギヤ５９およびアジテータギヤ６０を備えている。
【０１６８】
入力ギヤ５５は、入力ギヤ支持ボス１９４が右方から相対回転可能に挿入された状態でギヤホルダ１７２に支持されている。
【０１６９】
供給ギヤ５７は、ギヤ部２０１と、ギヤ部２０１に対して左方に配置される筒状部２００とを備えている。
【０１７０】
ギヤ部２０１は、左右方向に延びる略円筒形状である。ギヤ部２０１は、その周面全周にわたってギヤ歯を有している。筒状部２００は、略円筒形状であり、供給ギヤ５７の左面から左方に向かって突出している。筒状部２００の外径は、ギヤ部２０１の外径よりも小さい。また、筒状部２００は、ギヤ部２０１と中心軸線を共有するように配置されている。そして、供給ギヤ５７は、筒状部２００が供給ギヤ係合穴１７９に右方から相対回転可能に挿入された状態でギヤカバー１７１に支持されている。
【０１７１】
第１アイドルギヤ５８は、図１８に示すように、側面視略中央部分を、左右方向に貫通する側面視略円形状の軸挿通穴２０２を有している。そして、第１アイドルギヤ５８は、図１８および図２０Ｂに示すように、軸挿通穴２０２にアイドルギヤ支持軸１８１が左方から相対回転可能に挿入された状態で、ギヤカバー１７１に支持されている。
【０１７２】
第２アイドルギヤ５９は、図１８に示すように、側面視略中央部分を、左右方向に貫通する側面視略円形状のボス挿通穴２０３を有している。そして、第２アイドルギヤ５９は、ボス挿通穴２０３にアイドルギヤ支持ボス１９３が右方から相対回転可能に挿入された状態で、ギヤホルダ１７２に支持されている。
【０１７３】
アジテータギヤ６０は、図示しない嵌合筒部と、図示しない嵌合筒部に対して左方に配置されるギヤ部２０４とを備えている。
【０１７４】
ギヤ部２０４は、左右方向に延びる略円筒形状である。ギヤ部２０４は、その周面全周にわたって、ギヤ歯を有している。図示しない嵌合筒部は、略円筒形状であり、ギヤ部２０４の右面から右方に向かって突出している。嵌合筒部の外径は、ギヤ部２０４の外径よりも小さく、かつ、カラー部１９２の内径と略同じである。また、図示しない嵌合筒部は、ギヤ部２０４と中心軸線を共有するように配置されている。
【０１７５】
そして、アジテータギヤ６０は、図示しない嵌合筒部がカラー部１９２に左方から相対回転可能に挿入された状態で、ギヤホルダ１７２に支持されている。
（４）発射ユニット
発射ユニット３９は、ボール供給ギヤ７０と、ボール７１と、射出部７２とを備えている。
【０１７６】
ボール供給ギヤ７０は、第１穴７７および第２穴８１に受入部４９が左方から相対回転可能に挿入された状態で、ギヤカバー１７１に支持されている。
【０１７７】
射出部７２は、ガイドフレーム９０と、付勢ユニット９１と、ガイドカバー９２と、ねじ部材１５７とを備えている。
【０１７８】
ガイドフレーム９０は、受入口９７が排出口４７の前方に配置されるとともに、第１ねじ穴１５４にカバー固定部１４３の左端部が嵌合した状態で、ギヤカバー１７１に対して左方から組み付けられている。これによって、ガイド部９３は、ギヤカバー１７１の円周壁４６の前方かつ延設部１４５の左方に配置され、受入口９７と排出口４７とは前後方向に連通している。
【０１７９】
付勢ユニット９１は、ガイド部９３の第１ガイド部９５内に収容されている。ガイドカバー９２は、挿入穴１０６に受入部４９の左端部が挿入され、かつ、第２ねじ穴１５６を介して、カバー固定部１４３が左方に露出した状態でギヤカバー１７１およびガイドフレーム９０の左方に配置されている。
【０１８０】
また、ねじ部材１５７は、第２ねじ穴１５６および第１ねじ穴１５４を介して、カバー固定部１４３に螺合している。これによって、ガイドカバー９２およびガイドフレーム９０が、ギヤカバー１７１に固定されている。
（５）ギヤカバーに対するギヤホルダの組み付け
つまり、ギヤカバー１７１は、発射ユニット３９および第１アイドルギヤ５８を支持し、ギヤホルダ１７２は、入力ギヤ５５、第２アイドルギヤ５９およびアジテータギヤ６０を支持している。
【０１８１】
このような、発射ユニット３９および第１アイドルギヤ５８を支持するギヤカバー１７１と、入力ギヤ５５、第２アイドルギヤ５９およびアジテータギヤ６０を支持するギヤホルダ１７２とが組み合わされることにより、アダプタ１７０が構成される。
【０１８２】
ギヤホルダ１７２をギヤカバー１７１に組み付けるには、第１係合穴１８６に受入部４９の係止爪１４６が挿入されるとともに、第２係合穴１８７にアイドルギヤ支持軸１８１の係止爪１８２が挿入されるように、ギヤホルダ１７２をギヤカバー１７１に対して右方から組み付ける。
【０１８３】
そうすると、図１９に示すように、ギヤホルダ１７２の右面において、第１係合穴１８６の周縁が、受入部４９の係止爪１４６に係止され、第２係合穴１８７の周縁が、アイドルギヤ支持軸１８１の係止爪１８２に係止される。また、ギヤカバー１７１の突部１８５が、ギヤホルダ１７２の嵌合溝１８９に嵌合される。
【０１８４】
これらによって、ギヤホルダ１７２とギヤカバー１７１とが相対的に位置決めされ、ギヤホルダ１７２とギヤカバー１７１との組み付けが完了する。
【０１８５】
このとき、ボール供給ギヤ７０、アジテータギヤ６０、第２アイドルギヤ５９、第１アイドルギヤ５８および入力ギヤ５５は、ギヤホルダ１７２の本体部１９１により右方から覆われる。一方、供給ギヤ５７は、ギヤホルダ１７２の第１切欠部１９０を介して、右方から露出される。また、スナップフィット部１４４は、ギヤホルダ１７２の第２切欠部１９５を介して、ギヤホルダ１７２よりも右方に向かって突出している。
【０１８６】
また、図１０に示すように、供給ギヤ５７のギヤ部２０１は、入力ギヤ５５の小径ギヤ６４に対して下方から噛合している。また、第１アイドルギヤ５８の大径ギヤ６７は、ギヤホルダ１７２がギヤカバー１７１に組み付けられた状態において、入力ギヤ５５の小径ギヤ６４に対して前方から噛合している。また、第２アイドルギヤ５９は、図１１Ｂに示すように、第１アイドルギヤ５８の小径ギヤ６６に対して下方から噛合している。また、アジテータギヤ６０のギヤ部２０４は、第２アイドルギヤ５９に対して前上方から噛合している。また、ボール供給ギヤ７０は、欠け歯部７６に対して回転方向Ｒの上流側に配置される歯部７５がアジテータギヤ６０に対して前方から噛合する初期位置に位置されている。
（６）アダプタの筐体に対する組み付け
次に、アダプタ１７０の筐体１６に対する組み付けについて説明する。
【０１８７】
アダプタ１７０を筐体１６に組み付けるには、図１７に示すように、アダプタ１７０が、左側壁３５Ｌに対して左方に間隔を隔てて配置される。そして、アダプタ１７０は、供給ギヤ５７に供給ローラ軸２７が挿入されるとともに、アジテータ軸挿通穴１８８にアジテータ軸２０が挿入されるように、左側壁３５Ｌに対して左方から組み付けられる。
【０１８８】
そうすると、スナップフィット部１４４の爪部１５３が、左側壁３５Ｌのリブ１３３に左方から当接する。これにより、スナップフィット部１４４は、爪部１５３の突出分だけ下方に弾性変形される。
【０１８９】
そして、アダプタ１７０が、さらに右方に向かって移動されると、スナップフィット部１４４の爪部１５３が、リブ１３３よりも右方に到達し、スナップフィット部１４４が復元して、爪部１５３とリブ１３３の右端部とが係合する。このとき、延設部１４５の嵌合穴１５０が、軸部１３０の小径部１３２に径方向の外側から嵌合される。
【０１９０】
これらによって、アダプタ１７０が左側壁３５Ｌに対して位置決めされ、アダプタ３４の筐体１６に対する組み付けが完了する。
【０１９１】
このとき、供給ギヤ５７は、図１０に示すように、供給ローラ軸２７の左端部に相対回転不能に取り付けられ、アジテータギヤ６０は、アジテータ軸２０の左端部に相対回転不能に取り付けられている。また、現像ギヤ５６は、入力ギヤ５５の大径ギヤ６３に対して後下方から噛合されている。
【０１９２】
そのため、入力ギヤ５５に本体カップリング１１０からの駆動力が入力され、入力ギヤ５５が左側面視時計方向に回転駆動されると、現像ローラ２２、供給ローラ２３およびアジテータ１９が回転される。
【０１９３】
また、ボール供給ギヤ７０は、ギヤトレイン１７３を介して、駆動力が入力されると、受入部４９の中心軸線Ａ３を回転中心として、矢印で示す回転方向Ｒすなわち左側面視反時計方向に回転する。
【０１９４】
なお、アダプタ１７０を筐体１６から離脱させるには、図１８に示すように、スナップフィット部１４４が下方に向かって弾性変形され、爪部１５３とリブ１３３との係合が解除される。続いて、アダプタ１７０が、左側壁３５Ｌに対して左方に向かって移動される。これによって、アダプタ１７０の筐体１６からの離脱が完了する。
（７）アダプタによるボールの発射動作およびアダプタの再利用
アダプタ１７０は、上記の第１実施形態の発射動作と同様に動作して、ボール７１を発射する。
【０１９５】
具体的には、入力ギヤ５５に外部からの駆動力が入力されると、ボール供給ギヤ７０が回転する。そして、ボール供給ギヤ７０の回転に伴って、複数のボール７１が順次発射ユニット３９から発射される。
【０１９６】
このようなアダプタ１７０も、図１７に示すように、上記の第１実施形態と同様に再利用できる。具体的には、アダプタ１７０が筐体１６から離脱された後、ボール供給ギヤ７０が、終着位置から回転され、再度、初期位置に位置される。
【０１９７】
また、ボール供給ギヤ７０が終着位置から初期位置までの間を移動される際に、ボール７１が、供給口６９を介して、ボール受部８０に適宜供給される。
【０１９８】
その後、アダプタ１７０は、新品の現像カートリッジ１２の筐体１６に、上記したように組み付けられる。つまり、アダプタ１７０は、複数回再利用することができる。
４．第３実施形態
次に、本発明の第３実施形態について説明する。
【０１９９】
図２１Ａ〜図２２Ｃにおいて、図１〜図２０Ｂに示す各部に対応する部分には、それらの各部と同一の参照符号を付し、その説明を省略する。
【０２００】
第１実施形態において、現像カートリッジ１２のアダプタ３４は、発射ユニット３９を備えている。これに代えて、本発明の第３実施形態であるアダプタ３４は、図２１Ａに示すように、発射装置の一例としての発射ユニット２３０を備えている。
【０２０１】
発射ユニット２３０は、ガイドフレーム２３１と、収容部の一例としての直動部材２３２と、ボール７１と、アジテータギヤ２３３とを備えている。
【０２０２】
ガイドフレーム２３１は、ガイド部２３４と、第１壁２３５と、第２壁２４１とを備えている。
【０２０３】
ガイド部２３４は、左右方向に切断したときの断面形状が左方に向かって開放されるＵ字状を有しており、上下方向に延びた後、屈曲して左上方に延びている。具体的には、ガイド部２３４は、第１ガイド部２３６と、第２ガイド部２３７とを備えている。
【０２０４】
第１ガイド部２３６は、ガイド部２３４の下方部分を構成しており、凹形状を有している。第１ガイド部２３６は、左方に向かって開放されており、上下方向に延びている。なお、第１ガイド部２３６の下端部は、開放されている。第２ガイド部２３７は、ガイド部２３４の上方部分を構成しており、凹形状を有している。第２ガイド部２３７は、左下方に向かって開放されている。第２ガイド部２３７は、第１ガイド部２３６の上端部から連続して延びており、上方に向かうにつれて、左方に傾斜している。
【０２０５】
第１壁２３５は、略板形状を有し、第１ガイド部２３６の後壁の下端部から連続して後方に向かって延びている。第２壁２４１は、略板形状を有し、第１ガイド部２３６の前壁における下端部から連続して前方に向かって延びている。
【０２０６】
直動部材２３２は、前後方向に延びる略棒状であり、ラックギヤ部２３９と、ボール収容溝２３８とを有している。
【０２０７】
ラックギヤ部２３９は、直動部材２３２の下面に配置されている。
【０２０８】
ボール収容溝２３８は、複数のボール７１に対応して複数、例えば、４つ設けられ、前後方向に互いに等間隔を隔てて配置されている。ボール収容溝２３８は、直動部材２３２の上面から下方に向かって、凹む凹部であり、側面視略矩形状である。
【０２０９】
各ボール収容溝２３８は、その内部空間に、力付与部材および弾性部材の一例としての圧縮ばね２４０と、ボール７１とを収容している。
【０２１０】
圧縮ばね２４０は、上下方向に伸縮可能な空心コイルからなり、その下端部がボール収容溝２３８の底壁に固定されている。ボール７１は、圧縮ばね２４０の上方に配置された状態で、ボール収容溝２３８内にそれぞれ収容されている。これによって、ボール７１は、常には、対応する圧縮ばね２４０により上方に向かって付勢されている。
【０２１１】
そして、直動部材２３２は、図２１Ｂに示すように、第１壁２３５の下方であり、ラックギヤ部２３９の前端部がアジテータギヤ２３３の小径ギヤ２４２に噛合する初期位置に位置されている。
【０２１２】
また、直動部材２３２が初期位置に位置されている状態において、複数のボール７１は、第１壁２３５の下面に接触している。これによって、ボール７１は、圧縮ばね２４０の付勢力に抗して下方に押圧され、圧縮ばね２４０は、最も大きな弾性エネルギーを蓄積する第１状態の一例としての収縮状態に弾性変形されている。
【０２１３】
アジテータギヤ２３３は、アジテータ軸２０の左端部に相対回転不能に取り付けられている。アジテータギヤ２３３は、大径ギヤ２４３と、大径ギヤ２４３の左方に配置される小径ギヤ２４２とを一体に備える２段ギヤからなる。大径ギヤ２４３および小径ギヤ２４２は、それらの周面全周にわたって、ギヤ歯を有している。そして、アジテータギヤ２３３の大径ギヤ２４３は、図示しないが、第２アイドルギヤ５９に対して前上方から噛合されている（図１０参照）。また、アジテータギヤ２３３の小径ギヤ２４２は、ラックギヤ部２３９の前端部に下方から噛合されている。
【０２１４】
そして、入力ギヤ５５に外部からの駆動力が入力されると、その駆動力が、各種ギヤを介して、アジテータギヤ２３３の大径ギヤ２４３に伝達される。そうすると、アジテータギヤ２３３は、アジテータ軸２０の中心軸線を回転中心として、左側面視時計方向に回転される。
【０２１５】
これにより、直動部材２３２が、アジテータギヤ２３３の回転に伴って、初期位置から前方に向かって移動される。これにより、複数のボール７１は、第１壁２３５の下面と摺擦されながら、前方に向かって移動される。
【０２１６】
そして、最も前方のボール７１が、図２２Ａに示すように、第１ガイド部２３６の下方に到達すると、第１壁２３５とボール７１との接触が解除される。このとき、圧縮ばね２４０は、収縮状態から、蓄積された弾性エネルギーを解放するように上方に向かって伸張し、伸張状態に弾性変形される。
【０２１７】
そうすると、ボール７１は、圧縮ばね２４０により付勢され、上方に向かって飛ばされる。飛ばされたボール７１は、第１ガイド部２３６にガイドされることにより、上方に向かって移動する。その後、ボール７１は、第２ガイド部２３７に到達し、第２ガイド部２３７にガイドされることにより、その移動方向が変更され、左上方に向かって移動する。そして、ボール７１は、第２ガイド部２３７の上端部から発射ユニット２３０の外に発射される。
【０２１８】
続いて、図２２Ｂおよび図２２Ｃに示すように、アジテータギヤ２３３がさらに回転し、直動部材２３２が前方へさらに移動されると、複数のボール７１のそれぞれが、順次、第１ガイド部２３６の下方に到達する。これにより、上記と同様の発射動作が繰り返されることによって、複数のボール７１が順次、発射ユニット２３０から発射される。
【０２１９】
そして、直動部材２３２は、図２２Ｃに示すように、すべてのボール７１が発射ユニット２３０から発射された後、ラックギヤ部２３９とアジテータギヤ２３３の小径ギヤ２４２との噛合が解除される終着位置に位置される。これにより、直動部材２３２の移動が終了する。
【０２２０】
なお、発射ユニット２３０は、本発明の第２実施形態であるアダプタ１７０に備えさせることもできる。
５．第４実施形態
次に、本発明の第４実施形態について説明する。
【０２２１】
図２３Ａ〜図２５Ｂにおいて、図１〜図２２Ｃに示す各部に対応する部分には、それらの各部と同一の参照符号を付し、その説明を省略する。
【０２２２】
本発明の第４実施形態において、アダプタ３４は、図２３Ａに示すように、発射装置の一例としての発射ユニット２４９を備えている。
【０２２３】
発射ユニット２４９は、リボルバーユニット２５１と、ボール７１と、アジテータギヤ２３３とを備えている。
【０２２４】
リボルバーユニット２５１は、ガイドフレーム２５０と、リボルバー部２６３とを備えている。
【０２２５】
ガイドフレーム２５０は、本体プレート２５２と、ガイド部２５３とを備えている。
【０２２６】
本体プレート２５２は、側面視略矩形の略板形状を有しており、図２３Ａおよび図２３Ｂに示すように、軸支持穴２５４と、ボール通過口２５５とを有している。
【０２２７】
軸支持穴２５４は、図２３Ａに示すように、側面視略円形状を有し、本体プレート２５２の略中央部分を左右方向に貫通している。ボール通過口２５５は、図２５Ｂに示すように、本体プレート２５２における軸支持穴２５４の上方において、本体プレート２５２を左右方向に貫通している。また、ボール通過口２５５は、後で詳述するが、リボルバー部２６３が回転されたときに、後述するボール収容凹部２６１と対向する位置に配置されている。また、ボール通過口２５５は、ボール７１の通過を許容する形状およびサイズを有している。
【０２２８】
ガイド部２５３は、図２３Ａに示すように、略角筒形状を有している。ガイド部２５３は、左右方向に延びた後、屈曲しさらに左上方に延びている。具体的には、ガイド部２５３は、第１ガイド部２５６と、第２ガイド部２５７とを備えている。
【０２２９】
第１ガイド部２５６は、図２５Ｂに示すように、略角筒形状を有し、本体プレート２５２のボール通過口２５５の周縁から左方に向かって突出している。第２ガイド部２５７は、略角筒形状を有し、第１ガイド部２５６の左端部から連続しており、左方に向かうにつれて上方に傾斜している。
【０２３０】
リボルバー部２６３は、図２３Ａに示すように、左右方向に延びる略円柱形状の軸部２５８と、ボール収容部２５９と、ギヤ部２６０とを備えている。
【０２３１】
ボール収容部２５９は、左右方向に延びる略円柱形状を有している。そして、ボール収容部２５９は、軸部２５８と中心軸線を共有するとともに、軸部２５８の左端部が露出するように、軸部２５８に相対回転不能に取り付けられている。
【０２３２】
ボール収容部２５９は、図２４Ｂに示すように、ボール収容凹部２６１を有している。ボール収容凹部２６１は、複数のボール７１に対応して複数、例えば、４つ配置されており、ボール収容部２５９の周方向において、互いに略９０°の間隔を隔てて配置されている。ボール収容凹部２６１は、図２５Ｂに示すように、ボール収容部２５９の左面から右方に向かって、凹んでおり、側面視略矩形状を有している。
【０２３３】
各ボール収容凹部２６１は、その内部空間に、力付与部材の一例としての圧縮ばね２６２と、ボール７１とを収容している。
【０２３４】
圧縮ばね２６２は、左右方向に伸縮可能な空心コイル状からなり、その右端部がボール収容凹部２６１の右壁に固定されている。ボール７１は、圧縮ばね２６２の左方に配置されるように、対応するボール収容凹部２６１にそれぞれ収容されている。これによって、ボール７１は、常には、対応する圧縮ばね２６２により左方に向かって付勢されている。
【０２３５】
ギヤ部２６０は、図２４Ａに示すように、ボール収容部２５９よりも小径な略円板形状を有している。ギヤ部２６０は、その周面全周にわたってギヤ歯を有している。そして、ギヤ部２６０は、軸部２５８と中心軸線を共有するとともに、ボール収容部２５９の右方に隣接されるように、軸部２５８の右端部に相対回転不能に取り付けられている。
【０２３６】
そして、リボルバー部２６３は、図２５Ａおよび図２５Ｂに示すように、軸部２５８の左端部が本体プレート２５２の軸支持穴２５４に右方から相対回転可能に挿通されるように、本体プレート２５２の右方に配置されている。
【０２３７】
これによって、ボール７１は、本体プレート２５２の右面に接触している。これによって、ボール７１は、圧縮ばね２６２の付勢力に抗して右方に押圧されており、圧縮ばね２６２は、最も大きな弾性エネルギーを蓄積する第１状態の一例としての収縮状態に弾性変形されている。
【０２３８】
そして、リボルバーユニット２５１は、図２３Ｂに示すように、ギヤ部２６０がアジテータギヤ２３３の小径ギヤ２４２に前上方から噛合されるように、アジテータギヤ２３３の前上方に配置されている。
【０２３９】
これにより、図２４Ｂに示すように、入力ギヤ５５に外部からの駆動力が入力され、アジテータギヤ２３３が図２４Ｂにおいて時計方向に回転されると、リボルバー部２６３は、アジテータギヤ２３３の回転に伴って、矢印で示す回転方向Ｒすなわち図２４Ｂにおいて反時計方向に回転される。
【０２４０】
そうすると、図２５Ｂに示すように、複数のボール７１のうちの１つが、ボール通過口２５５の右方に到達し、ボール通過口２５５と左右方向に対向する。これにより、本体プレート２５２とボール７１との接触が解除される。
【０２４１】
このとき、圧縮ばね２６２は、収縮状態から、蓄積された弾性エネルギーを解放するように左方に向かって伸張し、伸張状態に弾性変形される。
【０２４２】
そうすると、ボール７１は、圧縮ばね２６２により押し出され、左方に向かって飛ばされる。そして、ボール７１は、第１ガイド部２５６にガイドされることにより、左方に向かって移動し、その後、第２ガイド部２５７に到達する。ボール７１は、第２ガイド部２５７に到達すると、さらに第２ガイド部２５７にガイドされることにより、その移動方向が変更されて、左上方に向かって移動し、第２ガイド部２５７の上端部から発射ユニット２４９の外に発射される。
【０２４３】
続いて、アジテータギヤ２３３の回転により、リボルバー部２６３がさらに回転されると、複数のボール７１のそれぞれが、順次、ボール通過口２５５の位置に到達する。これにより、上記と同様の発射動作が繰り返され、複数のボール７１が順次、発射ユニット２４９から発射される。
【０２４４】
なお、発射ユニット２４９は、本発明の第２実施形態であるアダプタ１７０に備えさせることもできる。
６．第５実施形態
次に、本発明の第５実施形態について説明する。
【０２４５】
図２６Ａ〜図２８Ｂにおいて、図１〜図２５Ｂに示す各部に対応する部分には、それらの各部と同一の参照符号を付し、その説明を省略する。
【０２４６】
本発明の第５実施形態であるアダプタ３４は、図２６Ａに示すように、発射装置の一例としての発射ユニット２６６を備えている。
【０２４７】
発射ユニット２６６は、リボルバーユニット２６７と、ボール７１と、アジテータギヤ２３３とを備えている。
【０２４８】
リボルバーユニット２６７は、ガイドフレーム２５０と、リボルバー部２６８とを備えている。
【０２４９】
リボルバー部２６８は、図２８Ａおよび図２８Ｂに示すように、軸部２５８と、ボール収容部２５９と、ギヤ部２６９と、力付与部材の一例としてのばねユニット２７０とを備えている。
【０２５０】
ボール収容部２５９は、図２８Ｂに示すように、穴２７１と、テーパ面２７３と、規制面２７２とを有している。
【０２５１】
穴２７１は、図２７Ａに示すように、４つのボール収容凹部２６１のそれぞれに対応して、ボール収容部２５９の周方向において、互いに略９０°の間隔を隔てて４つ配置されている。
【０２５２】
穴２７１は、図２８Ｂに示すように、側面視略円形状を有し、ボール収容凹部２６１と連通するように、ボール収容凹部２６１の右壁を左右方向に貫通している。
【０２５３】
テーパ面２７３は、４つのボール収容凹部２６１のそれぞれに対応して設けられている。テーパ面２７３は、ボール収容部２５９の右面におけるボール収容凹部２６１に対応する部分から左方に向かって凹んでおり、側面視湾曲形状を有している。これにより、テーパ面２７３は、図２７Ａに示すように、ボール収容部２５９の周方向において、互いに略９０°の間隔を隔てて４つ配置されている。また、穴２７１は、テーパ面２７３におけるボール収容部２５９の周方向の略中央部分に配置されている。
【０２５４】
規制面２７２は、ボール収容部２５９の右面において、ボール収容部２５９の周方向に互いに隣り合うテーパ面２７３の間に画定されており、図２８Ｂに示すように、上下方向に延びている。
【０２５５】
ギヤ部２６９は、図２７Ａに示すように、ボール収容部２５９の右面から右方に向かって突出しており、ボール収容部２５９と中心軸線を共有する略円筒形状を有している。
【０２５６】
また、ギヤ部２６９の外径は、ボール収容部２５９の外径よりも小径である。また、ギヤ部２６９の内径は、側面視においてすべての穴２７１が径方向の内側に配置可能な大きさを有している。ギヤ部２６９は、その周面全周にわたって、ギヤ歯を有している。
【０２５７】
ばねユニット２７０は、ギヤ部２６９内の上部に配置されており、図２８Ｂに示すように、左右方向に投影したときにボール通過口２５５と重なるように、ボール通過口２５５の右方に間隔を隔てて配置されている。ばねユニット２７０は、ばね支持フレーム２７７と、先端部２７５と、弾性部材の一例としてのばね２７６とを備えている。
【０２５８】
ばね支持フレーム２７７は、左右方向に延び、右端部が閉鎖される略円筒形状を有している。ばね２７６は、ばね支持フレーム２７７内に収容されており、左右方向に伸縮可能な空心コイル状からなる。また、ばね２７６の右端部は、ばね支持フレーム２７７の右端部に固定されている。
【０２５９】
先端部２７５は、左右方向に延び、略円柱形状を有している。また、先端部２７５は、ばね２７６の左端部に固定されている。これによって、先端部２７５は、常には、ばね２７６により左方に向かって付勢されている。
【０２６０】
そして、リボルバーユニット２６７は、図２６Ｂに示すように、ギヤ部２６９がアジテータギヤ２３３の小径ギヤ２４２に前上方から噛合されるように、アジテータギヤ２３３の前上方に配置されている。
【０２６１】
これにより、図２７Ｂに示すように、入力ギヤ５５に駆動力が入力されて、アジテータギヤ２３３が図２７Ｂにおいて時計方向に回転されると、リボルバー部２６８は、アジテータギヤ２３３の回転に伴って、矢印で示す回転方向Ｒすなわち図２７Ｂにおいて反時計方向に回転される。
【０２６２】
このとき、ばねユニット２７０の先端部２７５は、図２８Ｂに示すように、ボール収容部２５９の規制面２７２に摺擦される。そのため、先端部２７５は、規制面２７２に右方に向かって押圧され、ばね２７６の付勢力に抗して右方に移動される。これにより、ばね２７６は、最も大きな弾性エネルギーを蓄積する第１状態の一例としての収縮状態に弾性変形される。
【０２６３】
そして、さらにリボルバー部２６８が回転されると、複数のボール収容凹部２６１の１つが、ボール通過口２５５の右方に到達する。これによって、対応する穴２７１が、ばねユニット２７０の先端部２７５の左方に到達する。そうすると、ばね２７６は、収縮状態から、蓄積された弾性エネルギーを解放するように左方に向かって伸張し、伸張状態に弾性変形される。
【０２６４】
これにより、先端部２７５は、穴２７１を介して、ボール収容凹部２６１内に収容されているボール７１に対して、右方から勢いよく当接する。そうすると、ボール７１は、先端部２７５により弾き出され、左方に向かって飛ばされる。そして、ボール７１は、第１ガイド部２５６にガイドされることにより、左方に向かって移動し、その後、第２ガイド部２５７に到達する。そして、第２ガイド部２５７にガイドされることにより、ボール７１は、その移動方向が変更されて、左上方に向かって移動する。これにより、ボール７１は、第２ガイド部２５７の上端部から発射ユニット２６６の外に発射される。
【０２６５】
続いて、リボルバー部２６８がさらに回転されると、ばねユニット２７０の先端部２７５は、テーパ面２７３に接触する。さらに、ばねユニット２７０の先端部２７５は、リボルバー部２６８の回転に伴って、右方に向かって移動し、その後、規制面２７２と接触する。これにより、ばね２７６は、再度、収縮状態に弾性変形される。
【０２６６】
そして、リボルバー部２６８がさらに回転されると、複数のボール収容凹部２６１のそれぞれが、順次、ボール通過口２５５の右方に到達し、対応する穴２７１が、先端部２７５の左方に到達する。
【０２６７】
これにより、上記と同様の発射動作が繰り返され、ボール収容凹部２６１に収容されるボール７１が順次、発射ユニット２６６から発射される。
【０２６８】
なお、発射ユニット２６６は、本発明の第２実施形態であるアダプタ１７０に備えさせることもできる。
７．第６実施形態
次に、本発明の第６実施形態について説明する。
【０２６９】
図２９Ａ〜図３１Ｂにおいて、図１〜図２８Ｂに示す各部に対応する部分には、それらの各部と同一の参照符号を付し、その説明を省略する。
【０２７０】
本発明の第６実施形態であるアダプタ３４は、図２９Ａに示すように、発射装置の一例としての発射ユニット２８０を備えている。
【０２７１】
発射ユニット２８０は、ガイド部９３と、ボール７１と、力付与部材の一例としての羽根保持ギヤ２８１と、アジテータギヤ２３３とを備えている。
【０２７２】
ガイド部９３の第１ガイド部９５は、図３０Ａに示すように、１対の突部２８２を有している。１対の突部２８２は、第１ガイド部９５の前後両側壁における内側面から互いに近づくように突出し、前後方向に間隔を隔てて対向配置されている。
【０２７３】
詳しくは、後方の突部２８２は、第１ガイド部９５の後壁における受入口９７の上方周縁から、前方に向かって突出しており、側面視略矩形状を有している。前方の突部２８２は、後方の突部２８２と前後方向に対向するように配置され、第１ガイド部９５の前壁から後方に向かって突出し、側面視略矩形状を有している。また、１対の突部２８２の前後方向における間隔は、ボール７１の外径よりも僅かに短くなっている。
【０２７４】
また、第１ガイド部９５は、その内部空間に、供給部材の一例としての押圧部材２８３と、複数のボール７１とを収容している。押圧部材２８３は、第１ガイド部９５内の下部に配置されており、押圧部２８４と、ばね部２８５とを備えている。
【０２７５】
押圧部２８４は、下方に向かって開放される側面視略Ｕ字状を有している。ばね部２８５は、上下方向に伸縮可能な空心コイル状からなり、押圧部２８４の上壁と第１ガイド部９５の底壁との間に挟まれている。
【０２７６】
ボール７１は、第１ガイド部９５内に複数、例えば、４つ収容されており、押圧部２８４の上方において、上下方向に並ぶように配置されている。これにより、複数のボール７１は、ばね部２８５により、押圧部２８４を介して、常には、上方に向かって付勢されている。一方、最も上方のボール７１は、１対の突部２８２により挟持され、上方に向かう移動が規制されている。これによって、最も上方のボール７１は、力付与位置に位置されている。
【０２７７】
つまり、第６実施形態において、第１ガイド部９５は、その内部において、複数のボール７１を収容しており、収容部の一例としても機能する。
【０２７８】
羽根保持ギヤ２８１は、図２９Ａおよび図２９Ｂに示すように、左側壁３５Ｌに回転可能に支持されており、ギヤ部２８６と、板状部２８７と、羽根支持軸２８８と、羽根２８９とを備えている。
【０２７９】
ギヤ部２８６は、左右方向に厚みを有する略円板形状であり、その周面全周にわたってギヤ歯を有している。板状部２８７は、ギヤ部２８６の左方に隣接配置され、ギヤ部２８６と中心軸線を共有する略円板形状を有している。また、板状部２８７は、ギヤ部２８６よりも大径である。
【０２８０】
羽根支持軸２８８は、図２９Ａに示すように、板状部２８７の左面における中央部分から左方に向かって突出し、板状部２８７と中心軸線を共有する略円柱形状を有している。
【０２８１】
羽根２８９は、可撓性の樹脂材料からなり、羽根支持軸２８８の周面における左方部分から径方向の外方に延びる略板形状を有している。また、羽根支持軸２８８の径方向における羽根２８９の寸法は、板状部２８７の半径よりも長くなっている。羽根２８９は、羽根支持軸２８８の周方向において、互いに略９０°の間隔を隔てて４つ配置されている。
【０２８２】
そして、羽根保持ギヤ２８１は、ガイド部９３の後方かつアジテータギヤ２３３の前上方に配置されている。また、羽根保持ギヤ２８１のギヤ部２８６は、図２９Ｂに示すように、アジテータギヤ２３３の小径ギヤ２４２に前上方から噛合している。
【０２８３】
これによって、図３０Ａに示すように、入力ギヤ５５に駆動力が入力されてアジテータギヤ２３３が図３０Ａにおいて時計方向に回転されると、羽根保持ギヤ２８１は、アジテータギヤ２３３の回転に伴って、矢印で示す回転方向Ｒすなわち図３０Ａにおいて反時計方向に回転される。
【０２８４】
そうすると、羽根保持ギヤ２８１の回転に伴って、羽根２８９の遊端部が、図３０Ｂに示すように、第１ガイド部９５の後壁と摺擦する。これにより、羽根２８９は、第１ガイド部９５の後壁との摩擦力により、回転方向Ｒの逆方向に反る湾曲形状に弾性変形される。このとき、羽根２８９は、最も大きな弾性エネルギーを蓄積する第１状態の一例としての湾曲状態にある。
【０２８５】
そして、羽根保持ギヤ２８１がさらに回転すると、羽根２８９の遊端部が受入口９７に到達する。これにより、羽根２８９は、羽根２８９の遊端部と第１ガイド部９５の後壁との摺擦が解消され、湾曲状態から、蓄積した弾性エネルギーを解放するように復元される。
【０２８６】
そうすると、羽根２８９の遊端部が、受入口９７を介して、力付与位置にあるボール７１に後下方から、勢いよく当接する。そうすると、ボール７１は、１対の突部２８２間を通過し、上方に向かって飛ばされる。つまり、第６実施形態では、羽根保持ギヤ２８１によるボール７１に対する付勢方向と、押圧部材２８３によるボール７１の供給方向とは略同一方向である。
【０２８７】
そして、ボール７１は、第２ガイド部９６にガイドされることにより、左上方に向かって移動し、第２ガイド部９６の上端部から発射ユニット２８０の外に発射される。
【０２８８】
一方、第１ガイド部９５内に収容されているボール７１は、最も上方にあるボール７１が、１対の突部２８２間に挟持されるまで、押圧部材２８３により上方に向かって移動される。これにより、最も上方にあるボール７１が、力付与位置に位置される。
【０２８９】
続いて、羽根保持ギヤ２８１がさらに回転されると、上記と同様の発射動作が繰り返され、第１ガイド部９５内に収容されるボール７１が順次、発射ユニット２８０から発射される。
【０２９０】
なお、発射ユニット２８０は、本発明の第２実施形態であるアダプタ１７０に備えさせることもできる。
８．第７実施形態
次に、本発明の第７実施形態について説明する。
【０２９１】
図３２Ａ〜図３３Ｂにおいて、図１〜図３１Ｂに示す各部に対応する部分には、それらの各部と同一の参照符号を付し、その説明を省略する。
【０２９２】
本発明の第７実施形態であるアダプタ３４は、図３２Ａに示すように、発射装置の一例としての発射ユニット２９０を備えている。
【０２９３】
発射ユニット２９０は、ガイドフレーム９０と、ボール供給ギヤ７０と、中間ギヤ２９１と、力付与部材の一例としてのボール打上ギヤ２９２とを備えている。
【０２９４】
ガイドフレーム９０の第１ガイド部９５は、図３２Ｂに示すように、通過口２９３を有している。通過口２９３は、第１ガイド部９５の底壁から前壁にわたって、後述する羽根部２９６の通過を許容するように構成されている。
【０２９５】
中間ギヤ２９１は、大径ギヤ２９５と、大径ギヤ２９５の左方に配置される小径ギヤ２９４とを備える２段ギヤからなる。大径ギヤ２９５および小径ギヤ２９４は、それぞれの周面全周にわたって、ギヤ歯を有している。
【０２９６】
そして、中間ギヤ２９１は、図３２Ａに示すように、ボール供給ギヤ７０の前方、かつ、ガイドフレーム９０の右方に配置されている。また、中間ギヤ２９１の小径ギヤ２９４は、図３２Ｂに示すように、ボール供給ギヤ７０の欠け歯ギヤ部７３に前方から噛合されている。
【０２９７】
ボール打上ギヤ２９２は、ギヤ部２８６と、板状部２８７と、羽根支持軸２８８と、羽根部２９６とを備えている。
【０２９８】
羽根部２９６は、羽根支持軸２８８の周面における左端部から径方向の外方に延びる略平板形状を有し、後述するようにボール７１を打ち上げ可能な剛性を有している。
【０２９９】
また、羽根支持軸２８８の径方向における羽根部２９６の寸法は、板状部２８７の半径よりも長くなっている。羽根部２９６は、羽根支持軸２８８の周方向において、互いに略９０°の間隔を隔てて４つ配置されている。
【０３００】
そして、ボール打上ギヤ２９２は、ボール供給ギヤ７０およびガイドフレーム９０の前方に配置されている。これによって、ボール打上ギヤ２９２が回転されたときに、羽根部２９６は、通過口２９３を介して、第１ガイド部９５内を通過するように構成されている。
【０３０１】
また、ボール打上ギヤ２９２のギヤ部２８６は、図３２Ａに示すように、中間ギヤ２９１の大径ギヤ２９５に前下方から噛合されている。
【０３０２】
これによって、図３３Ａに示すように、入力ギヤ５５に駆動力が入力されて、ボール供給ギヤ７０が図３３Ａにおいて時計方向に回転されると、その駆動力が、中間ギヤ２９１を介して、ボール打上ギヤ２９２に伝達される。そうすると、ボール打上ギヤ２９２は、矢印で示す回転方向Ｒ、すなわち図３３Ａにおいて時計方向に回転される。つまり、入力ギヤ５５に駆動力が入力されると、ボール供給ギヤ７０およびボール打上ギヤ２９２のそれぞれが、図３３Ａにおいて時計方向に回転される。
【０３０３】
そして、各ボール受部８０に収容されている各ボール７１は、ボール供給ギヤ７０から、排出口４７および受入口９７を介して、第１ガイド部９５内に順次供給される。そうすると、第１ガイド部９５内に供給されたボール７１に、ボール打上ギヤ２９２の羽根部２９６が下方から当接し、そのボール７１が打ち上げられる。
【０３０４】
そうすると、ボール７１は、第１ガイド部９５にガイドされることにより、上方に向かって移動し、その後、第２ガイド部９６に到達する。そして、ボール７１が第２ガイド部９６にガイドされることにより、左上方に向かってさらに移動する。これによって、ボール７１は、発射開口１０７から発射ユニット２９０の外に発射される。
【０３０５】
続いて、ボール供給ギヤ７０およびボール打上ギヤ２９２がさらに回転されると、上記と同様の発射動作が繰り返される。これによって、ボール供給ギヤ７０に収容されるボール７１が順次、発射ユニット２９０から発射される。
【０３０６】
なお、発射ユニット２９０は、本発明の第２実施形態であるアダプタ１７０に備えさせることもできる。
９．プリンタの全体構成
次に、前述した本発明の第１実施形態〜第７実施形態のアダプタ３４を用いる電子写真方式の画像形成装置の一例としてのプリンタの説明をする。
【０３０７】
具体的には、図４７を用いて、本発明の第１実施形態のアダプタ３４を備える現像カートリッジ１２が装着されるプリンタ１について説明する。なお、プリンタ１は、第１実施形態のアダプタ３４を備える現像カートリッジ１２に代えて、第２実施形態〜第７実施形態のアダプタを備える現像カートリッジ１２を備えることもできる。
【０３０８】
印刷装置の一例としてのプリンタ１は、図３７に示すように、略ボックス形状の本体ケーシング２を備えている。
【０３０９】
本体ケーシング２は、一方の側壁に開口部３を有している。また、本体ケーシング２はフロントカバー４を備えている。フロントカバー４は、その下端部を支点として揺動し、開口部３を開閉するように構成されている。
【０３１０】
なお、以下の説明において、プリンタ１に関し、方向について言及する場合には、プリンタ１を水平に載置した状態を基準とする。具体的には、図３７中に矢印で示すように、フロントカバー４が設けられる一方側、すなわち紙面右方を前方とし、その反対側、すなわち紙面左方を後方とする。また、プリンタ１を前方から見たときを基準として左右を規定する。つまり、上下方向が鉛直方向であり、前後左右方向が水平方向である
このプリンタ１は、ドラムカートリッジ１１および現像カートリッジ１２を収容するように構成されているカートリッジ収容部１０を有している。
【０３１１】
ドラムカートリッジ１１は、感光ドラム１３と、スコロトロン型帯電器１４と、転写ローラ１５とを備えている。スコロトロン型帯電器１４は、感光ドラム１３の後上方において感光ドラム１３と間隔を隔てて対向している。転写ローラ１５は、感光ドラム１３に対向し、下方から感光ドラム１３に接触している。
【０３１２】
現像カートリッジ１２は、ドラムカートリッジ１１に着脱自在に装着されるように構成されている。ドラムカートリッジ１１に装着された現像カートリッジ１２は、本体ケーシング２のカートリッジ収容部１０に着脱自在に収容されるように構成されている。
１０．本体ケーシングの詳細
本体ケーシング２は、図１および図１５に示すように、本体カップリング１１０と、検知機構１１１と、ＣＰＵ１２５とを内部に備えている。
【０３１３】
本体カップリング１１０は、現像カートリッジ１２がカートリッジ収容部１０に収容されているときに、現像カートリッジ１２の入力ギヤ５５に駆動力を入力するように構成されている。検知機構１１１は、現像カートリッジ１２がカートリッジ収容部１０に収容されているときに、現像カートリッジ１２の発射ユニット３９から発射されたボール７１を検知するように構成されている。ＣＰＵ１２５は、検知機構１１１に電気的に接続されている。
（１）本体カップリング
本体カップリング１１０は、図１に示すように、本体ケーシング２に設けられる図示しないモータなどの駆動源から供給される駆動力が伝達されるように構成されている。また、本体カップリング１１０は、左右方向に延びる略円柱形状を有している。本体カップリング１１０は、現像カートリッジ１２がカートリッジ収容部１０に収容された状態において、入力ギヤ５５の結合凹部６５に、左方から対向するように配置されている。
【０３１４】
また、本体カップリング１１０は、フロントカバー４の開位置と閉位置との間の移動に伴い、公知の連動機構によって、本体カップリング１１０と結合凹部６５とが左右方向に離間する退避位置と、本体カップリング１１０の右端部が結合凹部６５に相対回転不能に挿入される進出位置とに、左右方向に沿って移動するように構成されている。
【０３１５】
そして、本体カップリング１１０は、駆動源から供給された駆動力が伝達されると、右側面視反時計方向に回転される。
（２）検知機構
検知機構１１１は、図１５に示すように、本体ケーシング２の左側壁１０９に備えられており、ボール通路１１２と、アクチュエータ１１３と、発光素子および受光素子の対からなる光学式センサ１１４とを備えている。
【０３１６】
ボール通路１１２は、開口１１６と、通過パス１１７と、貯留部１１５とを備えている。
【０３１７】
開口１１６は、本体ケーシング２の左側壁１０９において、カートリッジ収容部１０に収容された現像カートリッジ１２の発射開口１０７と、第２ガイド方向Ｙ、具体的には、右下方から左上方に向かう方向に間隔を隔てて対向するように画定されている。開口１１６は、ボール７１の通過を許容する形状およびサイズを有している。
【０３１８】
通過パス１１７は、開口１１６から左上方に延びる第１パス１１８と、第１パス１１８の左端部から屈曲して、下方に向かって延びる第２パス１１９とを備えている。
【０３１９】
貯留部１１５は、略ボックス形状を有し、ボール７１を貯留可能な空間を有している。貯留部１１５の内部空間は、第２パス１１９の下端部と連通している。
【０３２０】
アクチュエータ１１３は、第２パス１１９の上下方向略中央部分に配置されており、第２パス１１９を通過するボール７１と接触または接触解除されたときに、揺動するように構成されている。
【０３２１】
アクチュエータ１１３は、揺動軸１２０と、当接レバー１２１と、遮光レバー１２２とを備えている。揺動軸１２０は、前後方向に延び、本体ケーシング２の左側壁１０９に回転可能に支持されている。当接レバー１２１は、揺動軸１２０から右方に延びている。遮光レバー１２２は、揺動軸１２０から左方に延びている。
【０３２２】
そして、アクチュエータ１１３は、図示しないばねにより、常には、非検知位置に位置している。アクチュエータ１１３が非検知位置に位置するときは、当接レバー１２１が揺動軸１２０から右方に延び、遮光レバー１２２が揺動軸１２０から左方に延びている。また、アクチュエータ１１３は、当接レバー１２１にボール７１が上方から当接することにより、揺動軸１２０を支点として正面視時計方向に揺動し、検知位置に移動する。アクチュエータ１１３が検知位置に位置するときは、当接レバー１２１が揺動軸１２０から右下方に延び、遮光レバー１２２が揺動軸１２０から左上方に延びている。また、アクチュエータ１１３が検知位置にある状態において、ボール７１は第２パス１１９を通過することが許容される。なお、図１５において、非検知位置にあるアクチュエータ１１３を実線にて示し、検知位置にあるアクチュエータ１１３を仮想線にて示す。  
【０３２３】
光学式センサ１１４は、前後方向に互いに対向して配置される発光素子および受光素子を備えている。そして、光学式センサ１１４は、アクチュエータ１１３が非検知位置にある場合には発光素子から受光素子に至る光路が遮光レバー１２２により遮られ、かつ、アクチュエータ１１３が検知位置にある場合にはその光路上から遮光レバー１２２が退避するように構成されている。遮光レバー１２２が発光素子から受光素子に至る光路上から退避したときに、光学式センサ１１４からオン信号が出力される。
（３）ＣＰＵ
ＣＰＵ１２５は、光学式センサ１１４から出力されるオン信号がＣＰＵ１２５に入力されるように、光学式センサ１１４と電気的に接続されている。また、ＣＰＵ１２５は、光学式センサ１１４からの信号に基づいて、本体ケーシング２に装着された現像カートリッジ１２が新品であるか否かの判断を行うよう構成されている。また、現像カートリッジ１２が新品であると判断した場合には、ＣＰＵ１２５は、その現像カートリッジ１２での最大印刷可能枚数の判断がなされ、新品の現像カートリッジ１２が装着された時点からの実際の印刷枚数をカウントするように構成されている。なお、現像カートリッジ１２での最大印刷可能枚数は、現像カートリッジ１２が新品であるときに、トナー収容室１７に収容されているトナーによって印刷が可能な用紙Ｐの最大枚数である。そして、ＣＰＵ１２５は、カウントされた実際の印刷枚数と、現像カートリッジ１２の最大印刷可能枚数とを比較して、実際の印刷枚数が最大印刷可能枚数を超える直近に、図示しない操作パネルなどに、トナーエンプティの警告を表示するよう構成されている。
１１．現像カートリッジの本体ケーシングに対する着脱動作、および、現像カートリッジに対する検知動作
（１）現像カートリッジの本体ケーシングに対する装着動作
新品の現像カートリッジ１２が本体ケーシング２のカートリッジ収容部１０に装着される場合、図３７に示すように、まず、フロントカバー４が開位置に配置されて、開口部３が開放される。このとき、本体カップリング１１０は、図１に示すように、退避位置に位置する。
【０３２４】
そして、現像カートリッジ１２が、図３７に示すように、開口部３を介して前方から挿入される。これによって、本体ケーシング２のカートリッジ収容部１０に対する現像カートリッジ１２の装着が完了する。
【０３２５】
このとき、図１５に示すように、発射ユニット３９の発射開口１０７と、ボール通路１１２の開口１１６とが、第２ガイド方向Ｙにおいて間隔を隔てて対向している。また、入力ギヤ５５の結合凹部６５と、本体カップリング１１０とが左右方向に間隔を隔てて対向している。
（２）現像カートリッジの新品検知動作
次いで、フロントカバー４が、開位置から閉位置に移動され、開口部３が閉鎖される。そうすると、本体カップリング１１０が、突出位置に移動され、入力ギヤ５５の結合凹部６５と相対回転不能に係合する。これにより、駆動源から供給される駆動力が、本体カップリング１１０を介して、入力ギヤ５５に伝達可能となる。
【０３２６】
その後、入力ギヤ５５は、プリンタ１のウォームアップ動作が開示されると、本体カップリング１１０から駆動力を受け取る。そうすると、上述した通り、現像カートリッジ１２の発射ユニット３９は、ボール７１を発射する。発射されたボール７１は、本体ケーシング２の左側壁１０９の開口１１６に受け入れられ、通過パス１１７の第１パス１１８内に進入する。そして、ボール７１は、第１パス１１８および第２パス１１９の連続部分に到達すると、その接続部分にガイドされることにより、ボール７１の進行方向が下方に向かって変更され、第２パス１１９内に進入する。
【０３２７】
そうすると、ボール７１が、アクチュエータ１１３の当接レバー１２１に上方から当接する。これにより、アクチュエータ１１３が、非検知位置から、正面視時計方向に揺動して検知位置に位置される。そうすると、光学式センサ１１４は、アクチュエータ１１３の揺動を検知してオン信号を出力する。これにより、光学式センサ１１４によるボール７１の検知が達成される。
【０３２８】
その後、アクチュエータ１１３は、ボール７１の通過を許容した後、図示しないばねの付勢力により、検知位置から再度非検知位置に揺動する。その結果、光学式センサ１１４の発光素子から受光素子に至る光路が、遮光レバー１２２により遮られ、光学式センサ１１４は、オン信号の出力を停止する。
【０３２９】
つまり、発射ユニット３９からボール７１が発射されると、光学式センサ１１４は、まず、アクチュエータ１１３の非検知位置から検知位置への揺動を検知してオン信号を出力する。その後、アクチュエータ１１３の検知位置から非検知位置への揺動により、光学式センサ１１４はオン信号の出力を停止する。
【０３３０】
そして、光学式センサ１１４から出力されたオン信号は、ＣＰＵ１２５に入力される。これにより、現像カートリッジ１２がカートリッジ収容部１０内に装着された後に、光学式センサ１１４が、所定のオン信号の出力し、その後、その所定のオン信号の出力を停止した場合には、ＣＰＵ１２５は、その現像カートリッジ１２が新品であると判別する。このとき、ＣＰＵ１２５は、実際の印刷枚数のカウンタをリセットする。
【０３３１】
また、ボール７１は、アクチュエータ１１３と当接した後、第２パス１１９から貯留部１１５に到達して、貯留部１１５内に貯留される。そのため、貯留部１１５内のボール７１の個数は、現像カートリッジ１２の交換回数などの情報と対応している。
【０３３２】
続けて、上述したように、ボール供給ギヤ７０がさらに回転することにより、発射ユニット３９は、一つ目のボール７１を発射した後に続けて二つ目のボール７１を発射する。発射された二つ目のボール７１も、光学式センサ１１４に検知される。同様に、順次発射ユニット３９から発射された三つ目および四つ目のボール７１も、光学式センサ１１４に検知される。
【０３３３】
このように、新品の現像カートリッジ１２がカートリッジ収容部１０内に初めて装着されると、発射ユニット３９から複数のボール７１が発射され、それら複数のボール７１を光学式センサ１１４が検知する。これにより、光学式センサ１１４は、所定の回数、具体的には４回のオン信号の出力および出力停止を実行する。
【０３３４】
上記したオン信号のパターンは、現像カートリッジ１２の情報に対応している。したがって、ＣＰＵ１２５は、入力されたオン信号の入力回数によって、この現像カートリッジ１２の最大印刷可能枚数を判断する。
【０３３５】
一方、一度新品と判別された現像カートリッジ１２は、欠け歯ギヤ部７３の歯部７５と、アジテータギヤ６０のギヤ歯との噛合がすでに解除されている。そのため、旧品の現像カートリッジ１２が本体ケーシング２内に再度装着された場合には、プリンタ１のウォームアップ動作が開始されても、ボール供給ギヤ７０は回転せず、発射ユニット３９はボール７１を発射しない。そのため、現像カートリッジ１２が本体ケーシング２に装着されてからの所定期間内に、光学式センサ１１４は、オン信号を出力しない。よって、ＣＰＵ１２５には、光学式センサ１１４からのオン信号が入力されない。
【０３３６】
この場合、ＣＰＵ１２５は、現像カートリッジ１２が旧品であると判断し、この現像カートリッジ１２を使用して印刷した実際の印刷枚数のカウントを継続する。なお、旧品の現像カートリッジ１２とは、本体ケーシング２内に少なくとも一度は装着されて新品であると判断されたことがある現像カートリッジ１２のことを指す。
１２．第１実施形態における作用効果
（１）アダプタ３４は、図３および図４に示すように、スナップフィット部１４４を現像カートリッジ１２のリブ１３３に係合させることにより、現像カートリッジ１２の左側壁３５Ｌに装着され、また、スナップフィット部１４４とリブ１３３との係合を解除することにより、現像カートリッジ１２から取り外されるように構成されている。そのため、アダプタ３４を筐体１６に容易に着脱できるので、効率よくアダプタ３４を再利用することができる。
【０３３７】
また、アダプタ３４が発射ユニット３９を備えているので、ボール７１を発射ユニット３９から発射し、そのボール７１をプリンタ１の検知機構１１１に検知させることができる。つまり、検知機構１１１は、アダプタ３４から発射されたボール７１をプリンタ１において検知するように構成されている。そのため、検知機構１１１にボール７１を確実に検知させることができる。
（２）また、発射ユニット３９は、図１３Ａに示すように、ボール７１を備えている。そのため、円滑にプリンタ１のリセットを行うことができる。
（３）また、発射ユニット３９は、図１０に示すように、ボール７１を発射するために駆動力を伝達するボール供給ギヤ７０を備えている。そのため、ボール供給ギヤ７０が、ボール７１を発射するための駆動力を伝達するので、発射ユニット３９はボール７１をより一層確実に発射することができる。
（４）また、発射ユニット３９は、図１３Ｂに示すように、ボール７１を発射するための力をボール７１に付与するように構成される付勢ユニット９１を備えている。そのため、発射ユニット３９は、ボール７１を確実に発射することができる。
（５）また、付勢ユニット９１の進出部材９８は、図１３Ａおよび図１３Ｂに示すように、開放位置から閉鎖位置に移動することにより、ボール７１に力を付与するように構成されている。そのため、ボール７１に発射するための力を付与することができる。
（６）また、付勢ユニット９１は、図１３Ａおよび図１３Ｂに示すように、ばね部材９９が弾性変形することにより、ボール７１に発射するための力を付与する。そのため、簡易な構成でありながら、ボール７１に発射するための力を確実に付与することができる。
（７）また、付勢ユニット９１は、図１３Ａおよび図１３Ｂに示すように、ばね部材９９の収縮状態から伸張状態への弾性変形により、ボール７１に力を付与する。そのため、簡易な構成でありながら、ボール７１に発射するための力をより一層確実に付与することができる。
（８）また、付勢ユニット９１は、図１３Ａおよび図１３Ｂに示すように、ボール供給ギヤ７０に伝達される駆動力により、ばね部材９９を収縮状態から伸張状態に弾性変形させることができ、ボール７１に発射するための力を確実に付与できる。
（９）また、円周壁４６、各ボール受部８０および第３部分１０５が、図１１Ａに示すように、各ボール７１を収容する収容部として機能する。そのため、各ボール７１を確実に収容することができ、ボール７１の効率的な配置を確保することができる。
（１０）また、ボール７１は、図１１Ａに示すように、発射ユニット３９に複数備えられている。そのため、検知機構１１１により検知される現像カートリッジ１２の情報量の向上を図ることができる。
（１１）また、付勢ユニット９１は、図１２Ａ〜図１３Ｂに示すように、ボール７１に対して、付勢方向Ｂに力を付与するように構成されており、また、ボール７１は、ボール受部８０から、付勢方向Ｂとは異なる供給方向Ｓに移動することにより、力付与位置に供給される。そのため、付勢方向Ｂと供給方向Ｓとが同一の方向である場合と比較して、簡易な構成でありながら、力付与位置にあるボール７１に確実に力を付与することができる。
【０３３８】
また、付勢方向Ｂと供給方向Ｓとが異なる方向であるので、ボール受部８０に収容されているボール７１が力付与位置に供給されるときに、ボール７１に力を付与するための構成、すなわち付勢ユニット９１が、ボール７１の力付与位置への供給の邪魔にならない。そのため、ボール受部８０に収容されているボール７１が、力付与位置へ良好に供給される。
（１２）また、発射ユニット３９は、図１２Ａ〜図１３Ｂに示すように、各ボール受部８０に収容されるボール７１を力付与位置に供給するように構成されている進出部材９８を備えている。そのため、ボール７１を確実に力付与位置に配置できる。
（１３）また、進出部材９８は、図１２Ａ〜図１３Ｂに示すように、各ボール受部８０に収容されているボール７１を、ボール受部８０から第１ガイド部９５に移動させるように構成されている。したがって、発射ユニット３９の各発射動作の開始前においては、ボール７１をボール受部８０に確実に収容させることができながら、発射ユニット３９の発射動作時においては、ボール７１を、ボール受部８０から第１ガイド部９５に確実に移動させることができ、ボール７１を力付与位置に確実に配置することができる。
（１４）また、進出部材９８は、図１２Ａ〜図１３Ｂに示すように、ボール供給ギヤ７０により伝達される駆動力により、各ボール受部８０に収容されているボール７１を、ボール受部８０から第１ガイド部９５に移動させるように構成されている。つまり、発射ユニット３９の発射動作と、進出部材９８のボール７１の供給動作とのそれぞれの動作が、ボール供給ギヤ７０に伝達される駆動力により実行される。そのため、発射ユニット３９の発射動作と、進出部材９８の供給動作とを確実に連動させることができる。その結果、発射ユニット３９の各発射動作時において、ボール７１をボール受部８０から第１ガイド部９５に確実に供給することができる。
（１５）また、円周壁４６は、図１２Ａ〜図１３Ｂに示すように、付勢ユニット９１に向けて、ボール７１を排出する排出口４７を有している。また、進出部材９８は、図１２Ａ〜図１４Ｂに示すように、ボール７１の供給またはボール７１の供給停止に伴って、排出口４７を開閉する延長部１０１を備えている。そのため、進出部材９８のボール７１の供給動作時において、ボール受部８０に収容される残りのボール７１が、ボール受部８０から排出口４７を介して、所望せず排出されてしまうことを抑制できる。
（１６）また、発射ユニット３９は、図１５に示すように、ガイド部９３を備えている。そのため、ガイド部９３が、付勢ユニット９１により力を付与されたボール７１の移動をガイドする。その結果、発射ユニット３９によるボール７１の安定した発射を確保することができる。
（１７）また、ガイド部９３は、図１５に示すように、ボール７１を付勢方向Ｂに移動するようにガイドする第１ガイド部９５と、ボール７１を排出方向Ｄに移動するようにガイドする第２ガイド部９６とを備えている。そのため、付勢ユニット９１により力を付与されたボール７１は、第２ガイド部９６によりガイドされて、排出方向Ｄに移動される。その結果、ボール７１を、排出方向Ｄにおいて、発射ユニット３９から遠方に到達させることができる。
（１８）また、現像カートリッジ１２は、図２Ｂに示すように、トナーを収容するように構成されている筐体１６を備えている。また、第２ガイド部９６は、図１５に示すように、左右方向において、ボール７１を、左側壁３５Ｌから離れるようにガイドする。そのため、発射ユニット３９から発射されたボール７１を、左右方向において、発射ユニット３９から遠方に確実に到達させることができる。
（１９）また、ボール７１の移動方向におけるガイド部９３の下流側端部、すなわち発射開口１０７は、図２Ｂに示すように、筐体１６の上下方向の断面の外形の外側に位置している。そのため、発射ユニット３９から発射されたボール７１を、上下方向において、発射ユニット３９から遠方に到達させることができる。
（２０）また、発射開口１０７が、図１５に示すように、左右方向において、第１ガイド部９５の下端部よりも、左側壁３５Ｌから離れている。そのため、発射ユニット３９から発射されたボール７１を、左右方向において、発射ユニット３９から遠方に確実に到達させることができる。
（２１）また、第１ガイド方向Ｘと第２ガイド方向Ｙとが成す角θの角度が、図１５に示すように、０°よりも大きく１８０°以下、具体的には、４５°に設定されている。そのため、発射ユニット３９から発射されたボール７１を、左右方向において、発射ユニット３９から遠方により一層確実に到達させることができる。
（２２）また、現像カートリッジ１２は、図１に示すように、現像ローラ２２を備えている。また、発射開口１０７は、トナー担持領域Ｔに対して、左右方向の外側に配置されている。そのため、発射開口１０７と現像ローラ２２との効率的な配置を確保することができながら、発射ユニット３９から発射されたボール７１が、トナー担持領域Ｔに接触することを抑制できる。
（２３）また、現像ローラ２２は、図１０に示すように、入力ギヤ５５が受ける駆動力により、回転する。そのため、現像ローラ２２を確実に回転させることができる。
【０３３９】
なお、第１実施形態において、プリンタ１が印刷装置の一例であり、現像カートリッジ１２がカートリッジの一例であり、現像ローラ２２が現像ローラの一例である。また、筐体１６が筐体の一例であり、左側壁３５Ｌが第１壁の一例であり、右側壁３５Ｒが第２壁の一例であり、入力ギヤ５５が駆動入力部の一例である。また、発射ユニット３９が発射装置の一例であり、排出口４７が排出口の一例であり、ボール供給ギヤ７０が駆動力伝達部材の一例であり、ボール７１が物体の一例であり、ボール受部８０が第１受部の一例である。また、付勢ユニット９１が力付与部材の一例であり、ガイド部９３がガイド部の一例であり、第１ガイド部９５が第１ガイド部および第２受部の一例であり、第２ガイド部９６が第２ガイド部の一例であり、進出部材９８が供給部材の一例であり、ばね部材９９が弾性部材の一例である。また、現像ローラ２２の中心軸線Ａ２が現像ローラの軸線の一例である。また、付勢方向Ｂが第１方向の一例であり、供給方向Ｓが第２方向の一例であり、左右方向が第３方向の一例である。また、第１ガイド方向Ｘが第１ガイド部の延びる方向の一例であり、第２ガイド方向Ｙが第２ガイド部の延びる方向の一例であり、角θが第１ガイド部の延びる方向と第２ガイド部の延びる方向とが形成する角の一例である。また、トナー担持領域Ｔが、現像剤を担持する領域の一例である。また、円周壁４６、ボール受部８０および第３部分１０５が、収容部の一例である。
１３．第２実施形態における作用効果
（１）このようなアダプタ１７０は、図１６および図１７に示すように、スナップフィット部１４４を現像カートリッジ１２のリブ１３３に係合させることにより、現像カートリッジ１２の左側壁３５Ｌに装着され、また、スナップフィット部１４４とリブ１３３との係合を解除することにより、現像カートリッジ１２から取り外される。そのため、アダプタ１７０を筐体１６に容易に着脱できるので、効率よくアダプタ１７０を再利用することができる。
【０３４０】
また、アダプタ１７０が発射ユニット３９を備えているので、ボール７１を発射ユニット３９から発射し、そのボール７１をプリンタ１の検知機構１１１に検知させることができる。つまり、検知機構１１１は、アダプタ１７０から発射されたボール７１をプリンタ１において検知するように構成されている。そのため、検知機構１１１にボール７１を確実に検知させることができる。
【０３４１】
第２実施形態においても、第１実施形態と同様の作用効果を奏することができる。
１４．第３実施形態における作用効果
このような第３実施形態においても、発射ユニット２３０が、ボール７１を外部に発射することができるので、上記した第１実施形態および第２実施形態と同様の作用効果を奏することができる。
【０３４２】
また、第３実施形態では、直動部材２３２が圧縮ばね２４０を備えているので、圧縮ばね２４０が別部材に備えられている場合と比較して、部品点数の低減を図ることができる。
１５．第４実施形態における作用効果
このような第４実施形態においても、発射ユニット２４９が、ボール７１を外部に発射することができるので、上記した第１実施形態〜第３実施形態と同様の作用効果を奏することができる。
１６．第５実施形態における作用効果
このような第５実施形態においても、発射ユニット２６６が、ボール７１を外部に発射することができるので、上記した第１実施形態〜第４実施形態と同様の作用効果を奏することができる。
１７．第６実施形態における作用効果
このような第６実施形態においても、発射ユニット２８０が、ボール７１を外部に発射することができるので、上記した第１実施形態〜第５実施形態と同様の作用効果を奏することができる。
１８．第７実施形態における作用効果
このような第７実施形態においても、発射ユニット２９０が、ボール７１を外部に発射することができるので、上記した第１実施形態〜第６実施形態と同様の作用効果を奏することができる。
１９．変形例
（１）上記した第１実施形態〜第７実施形態では、第２ガイド部が、水平方向の切断面がＵ字状、あるいは筒状を有するが、第２ガイド部は、ボール７１の移動方向を変更するようにガイドできればこれに限定されない。
【０３４３】
例えば、第２ガイド部は、図３４Ａに示すように、ガイド板２９７から構成されていてもよい。ガイド板２９７は、略板形状を有し、第１ガイド部９５の右側壁における上端部から連続しており、上方に延びた後、屈曲してさらに左上方に向かって延びている。
【０３４４】
また、第２ガイド部は、図３４Ｂに示すように、１対のポール部材２９８から構成されていてもよい。１対のポール部材２９８のそれぞれは、略円柱形状を有し、第１ガイド部９５の右側壁における上端部から連続しており、上方に延びた後、湾曲してさらに左上方に向かって延びている。また、１対のポール部材２９８は、左右方向にボール７１の外径よりも短い間隔を隔てて対向している。
【０３４５】
これらによっても、上記した第１実施形態〜第７実施形態と同様の作用効果を奏することができる。
【０３４６】
（２）また、第２ガイド部は、図３５Ｂに示すように、ボール７１を跳ね返すことにより、ボール７１の移動方向を変更してもよい。
【０３４７】
例えば、第２ガイド部は、第１傾斜部２９９と、第２傾斜部３００とから構成されていてもよい。第１傾斜部２９９は、略角筒形状を有し、第１ガイド部９５の上端部から連続しており、上方に向かうにつれて左方に傾斜している。第２傾斜部３００は、略角筒形状を有し、第１傾斜部２９９の上端部から連続しており、第１傾斜部２９９よりも左向きの傾斜が大きくなるように屈曲している。第２傾斜部３００は、上方に向かうにつれて左方に傾斜している。
【０３４８】
この場合、付勢ユニット９１により飛ばされたボール７１は、付勢方向Ｂに沿って移動し、第１傾斜部２９９内に到達する。そうすると、ボール７１は、第１傾斜部２９９の右壁に衝突し、跳ね返されることにより、その移動方向が付勢方向Ｂに沿う方向から、矢印で示す排出方向Ｄに変更される。なお、本変形例においては、排出方向Ｄと第２傾斜部３００の延びる方向とは、略平行である。これにより、ボール７１は、第２ガイド部により移動方向が変更されて、発射開口１０７から外部に発射される。
【０３４９】
これによっても、上記した第１実施形態〜第７実施形態と同様の作用効果を奏することができる。
（３）上記した第１実施形態および第２実施形態では、ボール供給ギヤ７０が欠け歯ギヤ部７３を有するが、ボール供給ギヤ７０が、図３６に示すように、欠け歯ギヤ部７３に代えて、本体部３１０と、抵抗付与部材３１１とを備えていてもよい。
【０３５０】
本体部３１０は、中心軸線Ａ３を中心とする扇形板形状を有している。抵抗付与部材３１１は、ゴムなどの摩擦係数が比較的大きい材料からなり、本体部３１０の周面に巻回されている。これによって、抵抗付与部材３１１の外周面は、本体部３１０の径方向の内側に入り込んだ欠け部分３１２と、欠け部分３１２以外の部分である接触部分３１３とを有している。また、本体部３１０および抵抗付与部材３１１は、欠け部分３１２がアジテータギヤ６０と接触せず、接触部分３１３がアジテータギヤ６０と接触するサイズを有している。この場合、アジテータギヤ６０の周面は、ギヤ歯を有してもよいし、ギヤ歯を有していなくてもよい。
【０３５１】
そして、ボール供給ギヤ７０は、接触部分３１３がアジテータギヤ６０に対して前方から接触する初期位置に配置されている。これによっても、入力ギヤ５５に入力された駆動力が、ギヤトレイン３８を介して、ボール供給ギヤ７０に伝達されるように構成できる。
【０３５２】
また、すべてのボール７１が発射ユニット３９から発射されると、ボール供給ギヤ７０は、欠け部分３１２がアジテータギヤ６０に対向する終着位置に配置される。そのため、このような構成によっても、発射ユニット３９による全てのボール７１の発射が終了した後において、ボール供給ギヤ７０の回転を停止できる。
（４）また、上記した第１実施形態〜第７実施形態では、図１０に示すように、ボール供給ギヤ７０が初期位置に配置された状態において、ばね部材９９が、第２状態の一例としての伸張状態にある。
【０３５３】
しかし、これらに限定されず、例えば、ボール供給ギヤ７０が初期位置に配置された状態において、図１２Ｂに示すように、進出部材９８が開放位置に配置され、ばね部材９９が第１状態の一例としての収縮状態に配置されるように、欠け歯ギヤ部７３の欠け歯部７６の配置を変更してもよい。
【０３５４】
このような場合、現像カートリッジ１２が新品の状態で、ボール７１が第１ガイド部９５内に予め配置され、ボール供給ギヤ７０の駆動とともに、発射ユニット３９が第１ガイド部９５内のボール７１を発射するように構成してもよい。
【０３５５】
これらによっても、上記した第１実施形態〜第７実施形態と同様の作用効果を奏することができる。
（５）また、上記の第１実施形態〜第７実施形態において、現像カートリッジ１２は、図３７に示すように、ドラムカートリッジ１１に着脱自在に装着されるが、これに限定されず、例えば、ドラムカートリッジ１１と一体として構成することもできる。なお、この場合には、現像カートリッジ１２とドラムカートリッジ１１とを一体に備えるプロセスカートリッジが、カートリッジの一例として対応する。
【０３５６】
また、現像カートリッジ１２は、現像ローラ２２を有するフレームに対し、トナーが収容されるトナーカートリッジが着脱自在に装着されるように構成することもできる。
【０３５７】
また、現像カートリッジ１２のみが、感光ドラム１３を備える本体ケーシング２に対して着脱するように構成することもできる。
【０３５８】
さらに、トナーが収容されるトナーカートリッジのみが、現像ローラ２２および感光ドラム１３を備える本体ケーシング２に対して着脱するように構成することもできる。なお、この場合には、トナーカートリッジが、現像剤カートリッジの一例として対応する。
【０３５９】
これによっても、上記した第１実施形態〜第７実施形態と同様の作用効果を奏することができる。
（６）また、上記の第１実施形態〜第７実施形態では、図１５に示すように、光学式センサ１１４は、光学式センサ１１４の発光素子から受光素子に至る光路から、遮光レバー１２２が退避したときにオン信号を出力し、その光路が、遮光レバー１２２により遮られたときに、オン信号の出力を停止する。
【０３６０】
しかし、これに限定されず、光学式センサ１１４は、光学式センサ１１４の発光素子から受光素子に至る光路が、遮光レバー１２２により遮られたときに、オフ信号を出力するように構成することもできる。
【０３６１】
これによっても、上記した第１実施形態〜第７実施形態と同様の作用効果を奏することができる。
（７）また、上記の第１実施形態および第２実施形態では、欠け歯ギヤ部７３が欠け歯部７６を有しているが、これに限定されず、欠け歯ギヤ部７３および欠け歯ギヤ１４２は、欠け歯部を有していなくてもよい。
（８）また、上記した第１実施形態〜第７実施形態では、ボール７１は、樹脂材料からなるが、ボール７１の材質は、樹脂に限定されず、ボール７１の材質としては、金属、木製、セラミックなどを適宜用いることができる。
（９）また、上記した第１実施形態〜第６実施形態では、ボール７１は、略球状であるが、ボール７１の形状は、特に限定されず、例えば、立方体、直方体、三角錘などの多面体や、円錐などであってもよい。
（１０）また、上記した第１実施形態〜第７実施形態では、アジテータ１９が、攪拌部材の一例であるが、これに限定されず、攪拌部材は、オーガやパドルでもあってもよい。
（１１）上記した第１実施形態〜第７実施形態では、入力ギヤ５５が、現像剤カートリッジの駆動入力部の一例であり、カップリングを構成するが、これに限定されず、駆動入力部は、本体ケーシング２からギヤにより駆動力を受けるように構成されていてもよい。
（１２）上記した第１実施形態〜第５実施形態では、弾性部材は、バネであるが、弾性部材は上記のバネに限定されず、スポンジや板バネ、ゴムなどであってもよい。
（１３）上記の第１実施形態〜第７実施形態では、ギヤトレイン（ギヤトレイン３８またはギヤトレイン１７３）が備える各種ギヤ（入力ギヤ５５、現像ギヤ５６、供給ギヤ５７、第１アイドルギヤ５８、第２アイドルギヤ５９および第３アイドルギヤ６０）のそれぞれは、それらの周面にギヤ歯を有するが、これに限定されず、摩擦体やベルトなどが、各種ギヤの周面に巻回されていてもよい。摩擦体やベルトは、ゴムなどの摩擦係数が比較的大きい材料からなる。
（１４）上記した第１実施形態〜第７実施形態では、スナップフィット部１４４が、係合部の一例であるが、係合部は、アダプタを筺体１６に固定できれば特に限定されず、ねじ部材、面ファスナーやテープなどであってもよい。
（１５）上記した第１実施形態〜第７実施形態では、スナップフィット部１４４が保持フレーム６８と一体であるが、これに限定されず、スナップフィット部１４４が保持フレーム６８と別体であってもよい。
（１６）上記したプリンタ１は、スキャナユニット５を備えるレーザ−プリンタとして構成されているが、プリンタ１は、スキャナユニット５に代えてＬＥＤユニットを備えるＬＥＤプリンタとして構成することもできる。さらに、プリンタ１は、インクジェットプリンタとして構成することもできる。
（１７）上記のアダプタ（アダプタ３４またはアダプタ１７０）は、本体カップリング１１０から駆動力を受けてボール７１を発射するように構成されているが、これに限定されず、アダプタは、感光ドラム１３を駆動するためのギヤを介して駆動力を受けることにより、ボール７１を発射するように構成されてもよい。さらに、上記のアダプタは、モータと電源とを備え、本体ケーシング２から駆動力を受けることなく、ボール７１を発射するように構成されてもよい。
（１８）上記のアダプタ（アダプタ３４またはアダプタ１７０）は、現像カートリッジ１２に装着可能に構成されているが、ドラムカートリッジ１１に装着可能に構成されてもよい。この場合、アダプタは、現像カップリング（入力ギヤ５５）から駆動力を受けるように構成されてもよく、また、感光ドラム１３を駆動するためのギヤを介して駆動を受けるように構成されてもよい。
【０３６２】
また、上記した第１実施形態〜第７実施形態および変形例は、適宜組み合わせることができる。
【符号の説明】
【０３６３】
１      プリンタ
２      本体ケーシング
１２    現像カートリッジ
１６    筐体
２２    現像ローラ
３４    アダプタ
３５Ｌ  左側壁３５Ｌ
３５Ｒ  右側壁３５Ｒ
３９    発射装置
４６    円周壁
５５    入力ギヤ
７０    ボール収容ギヤ
７１    ボール
８０    ボール受部
９１    付勢ユニット
９３    ガイドフレーム
９５    第１ガイド部
９６    第２ガイド部
９８    進出部材
９９    ばね部材
１０１  延長部
１０４  第２部分
１０７  発射開口
２３０  発射ユニット
２３２  直動部材
２３４  ガイド部
２４９  発射ユニット
２５３  ガイド部
２５６  第１ガイド部
２５７  第２ガイド部
２６２  圧縮ばね
２６６  発射ユニット
２７０  ばねユニット
２７６  ばね
２９０  発射ユニット
２９７  ガイド板
２９８  ポール部材
２９９  第１傾斜部
３００  第２傾斜部
Ａ２    現像ローラの中心軸線
Ｂ      付勢方向
Ｓ      供給方向
Ｔ      トナー担持領域
Ｘ      第１ガイド方向
Ｙ      第２ガイド方向
θ      第１ガイド方向と第２ガイド方向Ｙとに形成される角
【図１】
2014170143.tif 000003
【図２】
2014170143.tif 000004
【図３】
2014170143.tif 000005
【図４】
2014170143.tif 000006
【図５】
2014170143.tif 000007
【図６】
2014170143.tif 000008
【図７】
2014170143.tif 000009
【図８】
2014170143.tif 000010
【図９】
2014170143.tif 000011
【図１０】
2014170143.tif 000012
【図１１】
2014170143.tif 000013
【図１２】
2014170143.tif 000014
【図１３】
2014170143.tif 000015
【図１４】
2014170143.tif 000016
【図１５】
2014170143.tif 000017
【図１６】
2014170143.tif 000018
【図１７】
2014170143.tif 000019
【図１８】
2014170143.tif 000020
【図１９】
2014170143.tif 000021
【図２０】
2014170143.tif 000022
【図２１】
2014170143.tif 000023
【図２２】
2014170143.tif 000024
【図２３】
2014170143.tif 000025
【図２４】
2014170143.tif 000026
【図２５】
2014170143.tif 000027
【図２６】
2014170143.tif 000028
【図２７】
2014170143.tif 000029
【図２８】
2014170143.tif 000030
【図２９】
2014170143.tif 000031
【図３０】
2014170143.tif 000032
【図３１】
2014170143.tif 000033
【図３２】
2014170143.tif 000034
【図３３】
2014170143.tif 000035
【図３４】
2014170143.tif 000036
【図３５】
2014170143.tif 000037
【図３６】
2014170143.tif 000038
【図３７】
2014170143.tif 000039